(57)【要約】【課題】弾球遊技機において保留図柄を用いた先読み演出に対する遊技者の興趣を向上させる。【解決手段】弾球遊技機は、乱数抽出手段と、当否判定手段と、可変表示手段と、保留記憶手段と、保留図柄表示手段と、先読み判定手段と、保留図柄選定手段とを備える。弾球遊技機は、更に、レベル表示と、レベル変化手段とを備える。レベル表示は、所定の範囲にわたる信頼度が設定された保留図柄と共に表示され、所定の範囲にわたる信頼度のレベルを示す。レベル変化手段は、レベル表示のレベルをより高い信頼度のレベルに変化させる。【選択図】図２０
2018191747.tif 000002
【特許請求の範囲】
【請求項１】
遊技球の始動口への入球に応じて乱数を抽出する乱数抽出手段と、
前記乱数抽出手段によって抽出される前記乱数に基づいて大当りか否かの抽選結果を判定する当否判定手段と、
図柄の可変表示によって前記抽選結果を報知する可変表示手段と、
前記可変表示手段による実行が保留されている前記可変表示に対応する前記乱数を記憶する保留記憶手段と、
前記保留記憶手段によって記憶されている前記乱数に対応する保留図柄を表示する保留図柄表示手段と、
前記当否判定手段による判定に先立って、前記保留記憶手段によって記憶されている前記乱数に基づく前記抽選結果が大当りか否かを判定する先読み判定手段と、
前記先読み判定手段による判定結果に基づいて、前記抽選結果が大当りとなる信頼度として異なる値がそれぞれ設定された複数の保留図柄の中から、前記保留図柄表示手段によって表示される保留図柄を選定する保留図柄選定手段と
を備える弾球遊技機であって、
所定の範囲にわたる信頼度が設定された前記保留図柄と共に表示され、前記所定の範囲にわたる信頼度のレベルを示すレベル表示と、
前記レベル表示のレベルをより高い信頼度のレベルに変化させるレベル変化手段と
を備えることを特徴とする弾球遊技機。
【請求項２】
請求項１に記載の弾球遊技機であって、
更に、前記保留図柄表示手段によって表示されている前記保留図柄を、より高い信頼度が設定された他の保留図柄に変化させる保留図柄変化手段を備えることを特徴とする弾球遊技機。
【請求項３】
請求項２に記載の弾球遊技機であって、
前記保留図柄変化手段は、前記レベル表示と共に表示されている前記保留図柄を、より高い範囲にわたる信頼度が設定された他の保留図柄に変化させ、
前記保留図柄変化手段による変化後における前記他の保留図柄は、最も低いレベルを示す前記レベル表示と共に表示されながら、前記保留図柄変化手段による変化前における前記保留図柄より高い信頼度が設定された保留図柄である、ことを特徴とする弾球遊技機。
【請求項４】
請求項２に記載の弾球遊技機であって、
前記保留図柄変化手段は、前記レベル表示と共に表示されている前記保留図柄を、より高い範囲にわたる信頼度が設定された他の保留図柄に変化させ、
前記保留図柄変化手段による変化後における前記他の保留図柄は、前記保留図柄変化手段による変化前と同じレベルを示す前記レベル表示と共に表示されながら、前記保留図柄変化手段による変化前における前記保留図柄より高い信頼度が設定された保留図柄である、ことを特徴とする弾球遊技機。
【請求項５】
請求項１から請求項４までのいずれか一項に記載の弾球遊技機であって、
前記複数の保留図柄は、最も高い信頼度が設定された保留図柄である特別保留図柄を含み、
更に、最も高いレベルを示す前記レベル表示と共に表示されている前記保留図柄を、前記特別保留図柄に変化させる特別保留図柄変化手段を備えることを特徴とする弾球遊技機。
【請求項６】
請求項１から請求項５までのいずれか一項に記載の弾球遊技機であって、更に、
前記可変表示手段によって実行中の前記可変表示に対応する変動中保留図柄を表示する変動中保留図柄表示手段と、
前記抽選結果が大当りとなる信頼度として異なる値がそれぞれ設定された複数の変動中保留図柄の中から、前記変動中保留図柄表示手段によって表示される変動中保留図柄を選定する変動中保留図柄選定手段と、
所定の範囲にわたる信頼度が設定された前記変動中保留図柄と共に表示され、前記変動中保留図柄に設定された前記所定の範囲にわたる信頼度のレベルを示す変動中レベル表示と、
前記変動中レベル表示のレベルをより高い信頼度のレベルに変化させる変動中レベル変化手段と
を備えることを特徴とする弾球遊技機。
【請求項７】
請求項６に記載の弾球遊技機であって、
更に、前記変動中保留図柄表示手段によって表示されている前記変動中保留図柄を、より高い信頼度が設定された他の変動中保留図柄に変化させる変動中保留図柄変化手段を備えることを特徴とする弾球遊技機。
【発明の詳細な説明】
【技術分野】
【０００１】
本明細書は、弾球遊技機（パチンコ遊技機、パチンコ機とも呼ばれる。）に関する技術を開示する。
【背景技術】
【０００２】
弾球遊技機には、遊技球の始動口への入球に応じて乱数を抽出し、その乱数に基づいて大当りか否かの抽選結果を判定するものがある。このような弾球遊技機は、一般的に、図柄の可変表示によって抽選結果を報知する。この可変表示が実行される間に、遊技球の始動口への更なる入球があった場合、その入球に応じて抽出された乱数に対応する可変表示は、先行する可変表示が完了するまで保留される。可変表示の実行が保留されている場合、その乱数に対応する保留図柄が表示されるのが一般的である。
【０００３】
遊技者の興趣を向上させる観点から、保留図柄を用いた演出（いわゆる、「先読み演出」）が提案されている。この先読み演出は、大当りか否かの抽選結果の正式な判定に先立って、可変表示の実行が保留されている乱数に基づく抽選結果が大当りか否かを先読みし、抽選結果が大当りとなる信頼度に応じた保留図柄を表示する演出である（例えば、特許文献１，２を参照）。
【先行技術文献】
【特許文献】
【０００４】
【特許文献１】特開２００４−１８７７０２号公報
【特許文献２】特開２０１２−２４５１５８号公報
【発明の概要】
【発明が解決しようとする課題】
【０００５】
近年、先読み演出が多様化する反面、先読み演出に対して遊技者の興味が薄れてきている。そのため、弾球遊技機において遊技者の興趣を向上させる観点から、先読み演出について改善する余地があった。
【課題を解決するための手段】
【０００６】
本明細書に開示する技術は、以下の形態として実現できる。
【０００７】
（１）本明細書に開示する一形態における弾球遊技機は、遊技球の始動口への入球に応じて乱数を抽出する乱数抽出手段と；前記乱数抽出手段によって抽出される前記乱数に基づいて大当りか否かの抽選結果を判定する当否判定手段と；図柄の可変表示によって前記抽選結果を報知する可変表示手段と；前記可変表示手段による実行が保留されている前記可変表示に対応する前記乱数を記憶する保留記憶手段と；前記保留記憶手段によって記憶されている前記乱数に対応する保留図柄を表示する保留図柄表示手段と；前記当否判定手段による判定に先立って、前記保留記憶手段によって記憶されている前記乱数に基づく前記抽選結果が大当りか否かを判定する先読み判定手段と；前記先読み判定手段による判定結果に基づいて、前記抽選結果が大当りとなる信頼度として異なる値がそれぞれ設定された複数の保留図柄の中から、前記保留図柄表示手段によって表示される保留図柄を選定する保留図柄選定手段とを備える。この弾球遊技機において、所定の範囲にわたる信頼度が設定された前記保留図柄と共に表示され、前記所定の範囲にわたる信頼度のレベルを示すレベル表示と；前記レベル表示のレベルをより高い信頼度のレベルに変化させるレベル変化手段とを備えることを特徴とする。この形態の弾球遊技機によれば、保留図柄と共に表示されるレベル表示によって、その保留図柄に対応する抽選結果が大当りとなる信頼度を遊技者に示唆できるとともに、そのレベル表示のレベルをより高い信頼度のレベルへと変化させることができる。これによって、保留図柄と共に表示されるレベル表示のレベルが高くなることに対する期待感を遊技者に抱かせることができる。その結果、保留図柄を用いた先読み演出に対する遊技者の興趣を向上させることができる。
【０００８】
（２）上記形態の弾球遊技機において、更に、前記保留図柄表示手段によって表示されている前記保留図柄を、より高い信頼度が設定された他の保留図柄に変化させる保留図柄変化手段を備えてもよい。この形態の弾球遊技機によれば、保留図柄と共に表示されるレベル表示のレベルが高くなることに対する期待感に加え、保留図柄がより高い信頼度が設定された他の保留図柄に変化することに対する期待感を遊技者に抱かせることができる。その結果、保留図柄を用いた先読み演出に対する遊技者の興趣をいっそう向上させることができる。
【０００９】
（３）上記形態の弾球遊技機において、前記保留図柄変化手段は、前記レベル表示と共に表示されている前記保留図柄を、より高い範囲にわたる信頼度が設定された他の保留図柄に変化させ；前記保留図柄変化手段による変化後における前記他の保留図柄は、最も低いレベルを示す前記レベル表示と共に表示されながら、前記保留図柄変化手段による変化前における前記保留図柄より高い信頼度が設定された保留図柄であってもよい。この形態の弾球遊技機によれば、保留図柄がより高い信頼度が設定された他の保留図柄に変化することに対する期待感を損なうことなく、保留図柄と共に表示されるレベル表示のレベルが高くなることに対する期待感を遊技者に抱かせることができる。その結果、保留図柄を用いた先読み演出に対する遊技者の興趣をいっそう向上させることができる。
【００１０】
（４）上記形態の弾球遊技機において、前記保留図柄変化手段は、前記レベル表示と共に表示されている前記保留図柄を、より高い範囲にわたる信頼度が設定された他の保留図柄に変化させ；前記保留図柄変化手段による変化後における前記他の保留図柄は、前記保留図柄変化手段による変化前と同じレベルを示す前記レベル表示と共に表示されながら、前記保留図柄変化手段による変化前における前記保留図柄より高い信頼度が設定された保留図柄であってもよい。この形態の弾球遊技機によれば、保留図柄がより高い信頼度が設定された他の保留図柄に変化することに対する期待感を損なうことなく、保留図柄と共に表示されるレベル表示のレベルが高くなることに対する期待感を遊技者に抱かせることができる。その結果、保留図柄を用いた先読み演出に対する遊技者の興趣をいっそう向上させることができる。
【００１１】
（５）上記形態の弾球遊技機において、前記複数の保留図柄は、最も高い信頼度が設定された保留図柄である特別保留図柄を含み；更に、最も高いレベルを示す前記レベル表示と共に表示されている前記保留図柄を、前記特別保留図柄に変化させる特別保留図柄変化手段を備えてもよい。この形態の弾球遊技機によれば、最も高いレベルを示すレベル表示を経て保留図柄が特別保留図柄に変化することに対する期待感を遊技者に抱かせることができる。その結果、保留図柄を用いた先読み演出に対する遊技者の興趣をいっそう向上させることができる。
【００１２】
（６）上記形態の弾球遊技機において、更に、前記可変表示手段によって実行中の前記可変表示に対応する変動中保留図柄を表示する変動中保留図柄表示手段と；前記抽選結果が大当りとなる信頼度として異なる値がそれぞれ設定された複数の変動中保留図柄の中から、前記変動中保留図柄表示手段によって表示される変動中保留図柄を選定する変動中保留図柄選定手段と、所定の範囲にわたる信頼度が設定された前記変動中保留図柄と共に表示され、前記変動中保留図柄に設定された前記所定の範囲にわたる信頼度のレベルを示す変動中レベル表示と；前記変動中レベル表示のレベルをより高い信頼度のレベルに変化させる変動中レベル変化手段とを備えてもよい。この形態の弾球遊技機によれば、変動中保留図柄と共に表示されるレベル表示によって、実行中の可変表示によって報知される抽選結果が大当りとなる信頼度を遊技者に示唆できるとともに、そのレベル表示のレベルをより高い信頼度のレベルへと変化させることができる。これによって、変動中保留図柄と共に表示されるレベル表示のレベルが高くなることに対する期待感を遊技者に抱かせることができる。その結果、変動中保留図柄を用いた先読み演出に対する遊技者の興趣を向上させることができる。
【００１３】
（７）上記形態の弾球遊技機において、更に、前記変動中保留図柄表示手段によって表示されている前記変動中保留図柄を、より高い信頼度が設定された他の変動中保留図柄に変化させる変動中保留図柄変化手段を備えてもよい。この形態の弾球遊技機によれば、変動中保留図柄と共に表示されるレベル表示のレベルが高くなることに対する期待感に加え、変動中保留図柄がより高い信頼度が設定された他の変動中保留図柄に変化することに対する期待感を遊技者に抱かせることができる。その結果、変動中保留図柄を用いた先読み演出に対する遊技者の興趣をいっそう向上させることができる。
【００１４】
本明細書に開示する技術は、弾球遊技機とは異なる種々の形態で実現できる。本明細書に開示する技術は、例えば、弾球遊技機の形態のほか、弾球遊技機において実施される制御方法、コンピュータプログラムなどの形態で実現できる。
【図面の簡単な説明】
【００１５】
【図１】パチンコ機の構成を示す正面図である。
【図２】遊技盤の構成を示す正面図である。
【図３】パチンコ機の構成を示す裏面図である。
【図４】パチンコ機の電気的構成を示すブロック図である。
【図５】主制御装置が実行するメインルーチンを示すフローチャートである。
【図６】主制御装置が実行する始動入賞確認処理を示すフローチャートである。
【図７】主制御装置が実行する先読み判定処理を示すフローチャートである。
【図８】主制御装置が実行する当否判定処理を示すフローチャートである。
【図９】主制御装置が実行する当否判定処理を示すフローチャートである。
【図１０】主制御装置が実行する当否判定処理を示すフローチャートである。
【図１１】主制御装置が実行する当否判定処理を示すフローチャートである。
【図１２】主制御装置が実行する大当り遊技処理を示すフローチャートである。
【図１３】主制御装置が実行する大当り遊技処理を示すフローチャートである。
【図１４】主制御装置が実行する大当り遊技処理を示すフローチャートである。
【図１５】サブ統合制御装置が実行する保留表示処理を示すフローチャートである。
【図１６】サブ統合制御装置が実行する保留表示更新処理を示すフローチャートである。
【図１７】サブ統合制御装置が実行する変動中表示更新処理を示すフローチャートである。
【図１８】保留図柄およびレベル表示と信頼度との関係の一例を示す説明図である。
【図１９】保留図柄を表示する一例を示す説明図である。
【図２０】保留図柄を表示する一例を示す説明図である。
【図２１】保留図柄を表示する一例を示す説明図である。
【図２２】保留図柄を表示する一例を示す説明図である。
【図２３】変動中保留図柄を表示する一例を示す説明図である。
【図２４】変動中保留図柄を表示する一例を示す説明図である。
【図２５】第２実施形態における保留図柄を表示する一例を示す説明図である。
【図２６】第２実施形態における保留図柄を表示する一例を示す説明図である。
【図２７】第３実施形態における保留図柄およびレベル表示と信頼度との関係の一例を示す説明図である。
【発明を実施するための形態】
【００１６】
Ａ．第１実施形態
図１は、パチンコ機５０の構成を示す正面図である。図１に示すように、第一実施形態のパチンコ機５０は、縦長の固定外郭保持枠をなす外枠５１にて各構成を保持する構造を有している。外枠５１の左側上下にはヒンジ５３が設けられており、ヒンジ５３により、板ガラス６１が嵌め込まれた前枠（ガラス枠）５２及び後述の内枠が、外枠５１に対し開閉可能に構成される。また、前枠５２の板ガラス６１の奥には、内枠に保持された遊技盤１（図２）が設けられている。
【００１７】
前枠５２の上部の左右両側にはスピーカ６６が設置されており、これらにより遊技音が出力され、遊技の趣向性を向上させる。また前枠５２には、遊技状態に応じて発光する枠側装飾ランプ６５のほか、遊技の異常を報知するＬＥＤが設けられている。
【００１８】
前枠５２の下部には、上皿５５と下皿６３とが一体に形成されている。また、下皿６３の右側には発射ハンドル６４が設けられており、該発射ハンドル６４を時計回りに操作することにより発射装置が作動し、上皿５５から供給された遊技球が遊技盤１に向けて発射される。
【００１９】
下皿６３は、上皿５５から溢れた賞球を受けるよう構成されており、球抜きレバーを操作することで、下皿６３に溜まった遊技球を遊技店に備えられたドル箱に移すことができる。また、上皿５５の中央には、演出ボタン６７及びジョグダイヤル６８が設けられている。
【００２０】
さらに、本実施形態では、演出ボタン６７の左側に十字ボタン６９を備える。該十字ボタン６９について、図１（ａ）を参照して説明する。十字ボタン６９は、中央から上下左右方向に突出した各突出部を備えた略十字状に形成された押しボタンとして構成される。各突出部には、「上」、「下」、「左」、及び「右」の文字が印字されており、押下により個々の部位が下方に沈下するように構成されている。また、上突出部、下突出部、左突出部、及び右突出部の下方には、破線にて図示したように、各突出部が沈下した際に、これを検知する検知スイッチとして、十字ボタン上ＳＷ６９ａ、十字ボタン下ＳＷ６９ｂ、十字ボタン左ＳＷ６９ｃ、及び十字ボタン右ＳＷ６９ｄが設けられている。これにより、例えば、遊技者が十字ボタン６９の上突出部を押下した場合は、上突出部の沈下に伴って該押下されたことを十字ボタン上ＳＷ６９ａが検知して、該検知に基づく検知信号を生成し、後述するサブ統合制御装置８３に送信するように構成されている。また、本実施形態の演出ボタン６７は、特別図柄の変動表示に対応した演出図柄の変動表示演出中に、所定のタイミングで所定回数だけ操作することによって、当該変動表示の大当りとなる期待度を報知表示する場合が発生可能な、第１操作手段として構成される。
【００２１】
本パチンコ機５０は、いわゆるＣＲ機であり、プリペイドカードの読み書きを行うプリペイドカードユニット（ＣＲユニット）５６が付属されていると共に、上皿５５の右側には球貸ボタン５７，精算ボタン５８，残高表示器５９が設けられている。
【００２２】
なお、図１の３９は、前枠５２及び前記内枠を外枠５１にロックするシリンダ錠であり、該シリンダ錠３９に所定の鍵を挿入して鍵を時計回りに操作すると、内枠が開放され、反時計回りに操作すると、前枠５２が開放される。
【００２３】
図２は、遊技盤１の構成を示す正面図である。図２に示すように、遊技盤１には、外レール２ａと内レール２ｂとによって囲まれた略円形の遊技領域３が形成されている。遊技領域３には、その中央部にセンターケース５が装着され、センターケース５に向かって左横には、普通図柄作動ゲート１７が設置されている。普通図柄作動ゲート１７を遊技球が通過すると、普通図柄の当否抽選用の複数種類の乱数が抽出され、抽出された乱数に基づく当否判定（普通図柄抽選）が行なわれる。
【００２４】
センターケース５の直下には、遊技球の入球に起因して、特別図柄（特図とも記載）の変動表示を伴う大当り抽選が行われる第１始動口１１及び第２始動口１２が、上下に並んで配設されている。第１始動口１１は、常時遊技球が入球可能に構成されているが、第２始動口１２は、普通図柄抽選での当選により開放される普通電動役物として構成されており、普通図柄抽選での当選時のみ入球可能となっている。
【００２５】
第１，第２始動口１１，１２に遊技球が入球すると、複数種類の数値データ（例えば、乱数）が抽出され、保留記憶として記憶される。普通電動役物として構成された第２始動口１２は、普通図柄抽選での当選時に、所定の回数にわたり、所定時間の開放が行われる。具体的には、通常モード時であれば、１回の当選により約２．６秒の開放が２回行なわれる。
【００２６】
第２始動口１２の下方には、大当り抽選で当ると行われる大当り遊技の際に開放される特別電動役物からなる大入賞口１４が配設されている。また、遊技領域３における向かって左下の領域には、複数の普通入賞口３１〜３４が配設されている。
【００２７】
遊技盤１における向かって右下の領域には、７セグメントの特図表示装置９と、４個のＬＥＤからなる特図保留数表示装置１８と、２個のＬＥＤからなる普通図柄表示装置７と、４個のＬＥＤからなる普図保留数表示装置８が設置されている。
【００２８】
図２に示す遊技盤１のセンターケース５には、中央に演出図柄表示装置６（全体の図示は省略）のＬＣＤパネルが配設され、ＬＣＤパネルの画面上では、演出図柄の変動表示等を行うことで大当り抽選の結果を報知する大当り演出が行われる。
【００２９】
また、センターケース５には、周知のものと同様にワープ入口、ワープ樋、ステージ等が設けられている。なお、遊技盤１の遊技領域３には多数の遊技釘４が植設されており、盤面最下部にはアウト口が設けられている。
【００３０】
図３は、パチンコ機５０の構成を示す裏面図である。図３に示すように、パチンコ機５０の裏側は、遊技盤１を脱着可能に取付ける内枠７０が外枠５１に収納された構成となっている。内枠７０は、前枠５２と同様、一方の側縁（図３に向かって右側）の上下位置が外枠５１に設けられたヒンジ５３に結合され、開閉可能に設置されている。内枠７０には、遊技球流下通路が形成されており、上方（上流）から球タンク７１、タンクレール７２、払出ユニット７３が設けられ、払出ユニット７３の中には払出装置が設けられている。この構成により、遊技盤１の入賞口に遊技球が入賞すると、球タンク７１に貯留されている所定個数の遊技球（賞球）が払出装置から払い出され、流下通路を通り上皿５５に払い出される。また、第一実施形態では、払出装置は、球貸ボタン５７の操作に応じて遊技球（貸球）を払い出すよう構成されている。
【００３１】
また、パチンコ機５０の裏側には、主制御装置８０、払出制御装置８１、演出図柄制御装置８２、サブ統合制御装置８３、発射制御装置、電源基板８５が設けられている。主制御装置８０，演出図柄制御装置８２，サブ統合制御装置８３は、遊技盤１に設けられ、払出制御装置８１，発射制御装置，電源基板８５は、内枠７０に設けられている。なお、図３では発射制御装置が記載されていないが、発射制御装置は、払出制御装置８１の奥側（遊技盤１側）に配されている。
【００３２】
また、球タンク７１の右側には、外部接続端子板７８が設けられており、外部接続端子板７８により、遊技状態や遊技結果を示す信号が図示しないホールコンピュータへ送られる。
【００３３】
図４は、パチンコ機５０の電気的構成を示すブロック図である。パチンコ機５０の電気的構成について説明する。このパチンコ機５０は、図４のブロック図に示すとおり、主制御装置８０を中心にして構成されている。なお、このブロック図には、単に信号を中継するいわゆる中継基板や電源基板等は記載されていない。また、詳細な図示は省略するが、主制御装置８０、払出制御装置８１、演出図柄制御装置８２、サブ統合制御装置８３のいずれもＣＰＵ、ＲＯＭ、ＲＡＭ、入力ポート、出力ポート等を備えている。また、発射制御装置８４、電源基板にはＣＰＵ、ＲＯＭ、ＲＡＭは設けられていないが、これに限るわけではなく、発射制御装置８４等にＣＰＵ、ＲＯＭ、ＲＡＭ等を設けてもよい。
【００３４】
主制御装置８０には、第１始動口１１に入球した遊技球を検出する第１始動口ＳＷ１１ａ、第２始動口１２に入球した遊技球を検出する第２始動口ＳＷ１２ａ、普通図柄作動ゲート１７に進入した遊技球を検出する普通図柄作動ＳＷ１７ａ、大入賞口１４に入球した遊技球を計数するためのカウントＳＷ１４ａ、一般入賞口３１〜３４に入球した遊技球を検出する一般入賞口ＳＷ３１ａ等からの検出信号が入力される。
【００３５】
主制御装置８０は搭載しているプログラムに従って動作して、上述の検出信号などに基づいて遊技の進行に関わる各種のコマンドを生成し、払出制御装置８１及びサブ統合制御装置８３に出力する。
【００３６】
また、主制御装置８０は、図柄表示装置中継端子板９０を介して接続されている特図表示装置９，特図保留数表示装置１８，普通図柄表示装置７，普図保留数表示装置８の表示を制御する。
【００３７】
さらに、主制御装置８０は、大入賞口ソレノイド１４ｂを制御することで大入賞口１４の開閉を制御し、普電役物ソレノイド１２ｂを制御することで第２始動口１２の開閉を制御する。
【００３８】
主制御装置８０からの出力信号は試験信号端子にも出力されほか、図柄変動や大当り等の管理用の信号が外部接続端子板７８に出力されてホールコンピュータ８７に送られる。
主制御装置８０と払出制御装置８１とは双方向通信が可能である。
【００３９】
払出制御装置８１は、主制御装置８０から送られてくるコマンドに応じて払出モータ２０を稼働させて賞球を払い出させる。本実施例においては、賞球として払い出される遊技球を計数するための払出ＳＷ２１の検出信号は払出制御装置８１に入力され、払出制御装置８１で賞球の計数が行われる構成を用いる。この他にも主制御装置８０と払出制御装置８１に払出ＳＷ２１の検出信号が入力され、主制御装置８０と払出制御装置８１の双方で賞球の計数を行う構成を用いることも考えられる。
【００４０】
なお、払出制御装置８１は、ガラス枠開放ＳＷ３５，内枠開放ＳＷ３６，球切れＳＷ２３，払出ＳＷ２１，満杯ＳＷ２２からの信号が入力され、満杯ＳＷ２２により下皿６３が満タンであることを示す信号が入力された場合や、球切れＳＷ２３により球タンク７１に遊技球が少ないあるいは無いことを示す信号が入力された場合には、払出モータ２０を停止させ、賞球の払出動作を停止させる。また、満杯ＳＷ２２，球切れＳＷ２３も、その状態が解消されるまで信号を出力し続ける構成になっており、払出制御装置８１は、その信号が出力されなくなることに起因して払出モータ２０の駆動を再開させる。
【００４１】
また、払出制御装置８１はＣＲユニット端子板２４を介してＣＲユニット５６と交信することで払出モータ２０を作動させ、貸し球を排出する。払出された貸し球は払出ＳＷ２１に検出され、検出信号は払出制御装置８１に入力される。また、ＣＲユニット端子板２４は精算表示装置２５とも双方向通信可能に接続されており、精算表示装置２５には、遊技球の貸出しを要求するための球貸ボタン５７、精算を要求するための精算ボタン５８が設けられている。
【００４２】
また、払出制御装置８１は、外部接続端子板７８を介して賞球に関する情報、枠（内枠７０，前枠５２）の開閉状態を示す情報などをホールコンピュータ８７に送信するほか、発射制御装置８４に対して発射停止信号を送信する。
【００４３】
なお、本実施例では遊技球を払出す構成であるが、入賞等に応じて発生した賞球を払い出さずに記憶する封入式の構成にしても良い。発射制御装置８４は、発射モータ３０を制御して、遊技領域３に遊技球を発射させる。
【００４４】
なお、発射制御装置８４には、払出制御装置８１以外に、発射ハンドル６４からの回動量信号、タッチＳＷ２８からのタッチ信号、発射停止ＳＷ２９から発射停止信号が入力される。
【００４５】
回動量信号は、遊技者が発射ハンドル６４を操作することで出力され、タッチ信号は遊技者が発射ハンドル６４を触ることで出力され、発射停止スイッチ信号は、遊技者が発射停止ＳＷ２９を押すことで出力される。なお、タッチ信号が発射制御装置８４に入力されていなければ、遊技球は発射できないほか、発射停止スイッチ信号が入力されているときには、遊技者が発射ハンドル６４を触っていても遊技球は発射出来ないようになっている。
【００４６】
サブ統合制御装置８３は、主制御装置８０から送信されてくるデータ及びコマンドを受信し、それらを演出表示制御用、音制御用及びランプ制御用のデータに振り分けて、演出表示制御用のコマンド等は演出図柄制御装置８２に送信し、音制御用及びランプ制御用は自身に含まれている各制御部位（音声制御装置及びランプ制御装置としての機能部）に分配する。
【００４７】
そして、音声制御装置としての機能部は、音声制御用のデータに基づいて音ＬＳＩを作動させることによってスピーカ６６からの音声出力を制御し、ランプ制御装置としての機能部は、ランプ制御用のデータに基づいてランプドライバを作動させることによって各種ＬＥＤ、ランプ２６を制御する。
【００４８】
また、サブ統合制御装置８３には、演出ボタン６７，ジョグダイヤル６８が接続されており、遊技者が演出ボタン６７，ジョグダイヤル６８を操作した際には、その信号がサブ統合制御装置８３に入力される。
【００４９】
また、上述したように、本実施形態のサブ統合制御装置８３には、十字ボタン上ＳＷ６９ａ、十字ボタン下ＳＷ６９ｂ、十字ボタン左ＳＷ６９ｃ、及び十字ボタン右ＳＷ６９ｄが接続されており、遊技者が十字ボタン６９の上突出部、下突出部、左突出部、及び右突出部を操作した際には、押下された突出部の種別に対応した信号がサブ統合制御装置８３に入力される。
【００５０】
サブ統合制御装置８３と演出図柄制御装置８２とは双方向通信が可能である。演出図柄制御装置８２は、サブ統合制御装置８３から受信したデータ及びコマンド（共に主制御装置８０から送信されてきたものとサブ統合制御装置８３が生成したものとがある）に基づいて演出図柄表示装置６を制御して、演出図柄等の演出画像を表示させる。
【００５１】
第１実施形態のパチンコ機５０は、常時入賞が可能な第１始動口１１と、上述した普通図柄抽選での当選により一定期間にわたり開放され、入賞が可能となる第２始動口１２が設けられており、第１，第２始動口１１，１２への入賞に起因して抽出された数値データ（乱数）に基づいて大当り抽選が行われる。そして、大当り抽選の際には、特図表示装置９にて特別図柄の変動表示が行われると共に、これらを停止表示して確定図柄を表示することで大当り抽選の結果が報知される。また、これと並行して、演出図柄表示装置６の画面上で、演出図柄の変動表示を実行した後にこれらを停止表示して特別図柄に対応した演出図柄の確定図柄を表示して、大当り抽選の結果を報知する疑似演出が行われる。
【００５２】
また、パチンコ機５０では、第１，第２始動口１１，１２への入賞により抽出された乱数が、最大４個まで保留記憶として記憶され、特図保留数表示装置１８にて保留記憶の数が表示されると共に、サブ統合制御装置８３によって演出図柄表示装置６の画面上の所定の領域に、各保留記憶に対応する保留図柄が表示される。また、大当り抽選で当たると、所定ラウンド数の大当り遊技が行われる。
【００５３】
そして、大当り遊技の終了後は、一定期間（所定数の大当り抽選が行われるまでの期間）にわたり、パチンコ機５０の遊技状態が、大当り抽選で当る確率が上昇する確変モードとなり、また、これと同時に、普通図柄抽選での当選確率が上昇すると共に、普通図柄抽選での当選時の第２始動口１２の開放時間が延長され、さらに普通図柄の変動時間が短縮される時短モードとなる。なお、確変モードと時短モードのどちらでもない遊技状態を、通常モードと記載する。
【００５４】
また、本実施形態のパチンコ機５０では、保留図柄として、複数種類の保留図柄が設けられている。各種類の保留図柄は、対応する保留記憶が大当りとなる確率である所謂信頼度の違いによって、異なる表示態様によって複数種類設けられている。また、対応する保留記憶の信頼度は、該保留記憶が消化（変動表示の開始による保留図柄の消去）される直前に表示された保留図柄の表示態様によって示される。そして、各種類の保留図柄を表示することで、対応する保留記憶により大当りとなる可能性の有無や、該可能性の大きさを示唆する保留予告演出が行われる。
【００５５】
また、この保留予告演出の一つとして、一旦表示された保留図柄（一時保留図柄）を、他の種類の保留図柄であって変動表示直前に表示される最終の保留図柄（最終保留図柄）に変化させる「変化演出」が行われる。なお、この変化演出では、対応する保留記憶が消化されるまで最終保留図柄が表示され、最終保留図柄の種類により、該保留記憶により大当りとなる可能性の有無や、該可能性の大きさが示唆される。なお、本実施形態の「一時保留図柄」とは、最初に表示される保留図柄に限らず、「最終保留図柄」に至るまでの全ての保留図柄を含めたものであって、変化の過程における最終保留図柄以外の保留図柄である。
【００５６】
さらに、保留図柄に対して変化演出が行われる際には、一時保留図柄の種類が変化することを示唆する「段階演出」が行われると共に、変化演出が行われないいずれかの保留図柄に対しても、疑似的な段階演出（疑似段階演出とも呼称する場合がある）が行われる。この段階演出には複数の態様が設けられており、抽選により、段階演出が行われる保留図柄の種類や、該保留図柄に対応する保留記憶により大当りとなるか否か等に応じた確率でこの態様が選択される。よって、遊技者には、変化演出が行われるか、或いは、保留図柄に対応する保留記憶が消化される直前になるまで表示されている保留図柄が一時保留図柄であるのか最終保留図柄であるのか、判別不能である。そして、このように本実施形態では、変化演出の実行の可否に関係なく、段階演出や疑似的な段階演出が行われる。よって、当該演出が段階演出なのか疑似的な段階演出なのかを判別不能な遊技者に対して、当該段階演出及び疑似的な段階演出は、変化演出が行われることの期待感を煽る、所謂「前兆演出」として機能するものである。
【００５７】
なお、言うまでも無く、保留予告演出や変化演出は、大当り抽選の結果を常に正確に予告するというものではなく、予告が外れる場合もあり、無論、保留予告演出や変化演出が行われていない保留記憶による大当り抽選で当ることもある。
【００５８】
図５は、主制御装置８０が実行するメインルーチンを示すフローチャートである。パチンコ機５０の主制御装置８０におけるメインルーチンについて、図５に記載のフローチャートを用いて説明する。なお、このメインルーチンは、２ｍｓ周期のタイマ割り込み処理として起動される。
【００５９】
Ｓ１０では、主制御装置８０は、正常なタイマ割り込みによりメインルーチンが起動されたか否かを判定し、肯定判定が得られた場合には（Ｓ１０：Ｙｅｓ）、Ｓ２０に処理を移行すると共に、否定判定が得られた場合には（Ｓ１０：Ｎｏ）、Ｓ１５に処理を移行する。
【００６０】
Ｓ１５では、主制御装置８０は、ＣＰＵやＩ／Ｏ等の初期設定を行い、Ｓ７５に処理を移行する。一方、Ｓ１０で肯定判定が得られた場合には、主制御装置８０は、初期値乱数の更新（Ｓ２０），大当り決定用乱数の更新（Ｓ２５），大当り図柄決定用乱数の更新（Ｓ３０），当り決定用乱数の更新（Ｓ３５），リーチ判定用乱数の更新（Ｓ４０），変動パターン決定用乱数１，２の更新（Ｓ４５）を行う。
【００６１】
なお、初期値乱数は、０〜３８９９の範囲であり、乱数の大きさは３９００である。また、大当り判定用乱数は、０〜３８９９の範囲であり、乱数の大きさは３９００である。なお、通常モードにおいて大当りとなる値の数は１３（大当り確率は１／３００）で、７７５〜７７８，１７７５〜１７７８，２７７５〜２７７９となる。また、確変モードにおいては、大当りとなる値の数は、１３よりも大きい数となるものである。
【００６２】
さらに、確変モードにおいては、大当りとなる値の数は、通常モードにおける大当りとなる上記乱数を含むように構成される。よって、抽出した乱数によっては、モードに関係無く大当りとなる乱数もあれば、確変モードで大当りとなっても通常モードでは大当りとはならない乱数もある。つまり、抽出された時点が確変モードであったことで先読み判定により大当りとなることが予定されていても、当該乱数に基づく変動表示開始前に、他の乱数に基づく大当りによって確変モードが終了して通常モードになってしまった場合には、上記先読み判定結果に反して大当りとならない場合も発生し得る。
【００６３】
また、大当り図柄決定用乱数の値は、０〜５９の範囲であり、乱数の大きさは６０である。また、リーチ判定用乱数の値は、０〜２２８の範囲であり、乱数の大きさは２２９である。なお、通常モードにおいてリーチとなる値の数は１１で、値は０〜１０となる。また、確変モードにおいてリーチとなる値の数は、１１よりも大きい数となる。
【００６４】
また、変動パターン決定用乱数１の値は、０〜１０２０の範囲であり、乱数の大きさは１０２１である。また、変動パターン決定用乱数２の値は、０〜６００の範囲であり、乱数の大きさは６０１である。
【００６５】
そして、主制御装置８０は、始動口等といった入賞口への遊技球の入賞を検出する入賞確認処理と（Ｓ５０），始動口への入賞に起因して大当り抽選を行う当否判定処理と（Ｓ５５）、大当り抽選で当った際に行われる大当り遊技を制御する大当り遊技処理と（Ｓ６０）を行う。また、遊技者の不正行為を検出する不正監視処理と（Ｓ６５）、ホールコンピュータ８７等に各種情報を送信する各出力処理と（Ｓ７０）を実行する。
【００６６】
また、Ｓ７５では、主制御装置８０は、次のタイマ割込みが発生してメインルーチンが起動されるまで、初期値乱数の更新を繰り返し行う。
【００６７】
図６は、主制御装置８０が実行する始動入賞確認処理を示すフローチャートである。第１，第２始動口１１，１２への入賞を検出し、該入賞に応じて保留記憶の生成等を行う始動入賞確認処理について、図６に記載のフローチャートを用いて説明する。なお、本処理は、メインルーチンから実行される入賞確認処理（Ｓ５０）からコールされるサブルーチンとして構成されている。
【００６８】
Ｓ１００では、主制御装置８０は、第１，第２始動口ＳＷ１１ａ，１２ａの検出信号に基づき、第１，第２始動口１１，１２への遊技球の入賞が発生したかを判定する。そして、肯定判定の場合は（Ｓ１００：Ｙｅｓ）、Ｓ１０５に処理を移行し、否定判定の場合は（Ｓ１００：Ｎｏ）、本処理を終了する。
【００６９】
Ｓ１０５では、主制御装置８０は、保留記憶の数が上限値（一例として４）か否かを判定する。そして、否定判定の場合は（Ｓ１０５：Ｎｏ）、Ｓ１１０に処理を移行し、肯定判定の場合は（Ｓ１０５：Ｙｅｓ）、本処理を終了する。
【００７０】
Ｓ１１０では、主制御装置８０は、大当り抽選に用いられる大当り決定用乱数や、大当り抽選で当った際に停止表示される図柄（当り図柄）を決定するための大当り図柄決定用乱数や、疑似演出において、リーチ状態となった後に外れを示す演出図柄を停止表示させる演出（ノーマルリーチやスーパーリーチ）を行うか否かを決定するためのリーチ判定用乱数や、特別図柄の変動時間等を決定するための変動パターン決定用乱数等を抽出し、これらの乱数（数値データ）を保留記憶として記憶する。そして、消化されていない保留記憶の数を示す「保留数コマンド」を生成しこれを、サブ統合制御装置８３に送信し、Ｓ１１５に処理を移行する。なお、Ｓ１１０にてサブ統合制御装置８３に送信する保留情報（コマンド）は、消化（消滅）されていない保留記憶の数を示すコマンドではなく、保留記憶の増加を示す情報を送信する構成でも良い。
【００７１】
Ｓ１１５では、主制御装置８０は、新たに発生した保留記憶に対応する大当り決定用乱数等の値について判定する先読み判定処理を実行し、本処理を終了する。
【００７２】
図７は、主制御装置８０が実行する先読み判定処理を示すフローチャートである。新たに発生した保留記憶に対応する大当り決定用乱数等の値について判定する先読み判定処理について、図７に記載のフローチャートを用いて説明する。なお、本処理は、始動入賞確認処理からコールされる。
【００７３】
Ｓ１５０では、主制御装置８０は、新たに発生した保留記憶に係る大当り決定用乱数の値が特定値（大当り抽選で当りとなる値）か否かを判定し、肯定判定が得られた場合には（Ｓ１５０：Ｙｅｓ）、Ｓ１５５に処理を移行すると共に、否定判定が得られた場合には（Ｓ１５０：Ｎｏ）、Ｓ１６０に処理を移行する。
【００７４】
Ｓ１５５では、主制御装置８０は、新たに発生した保留記憶に係る大当り決定用乱数の値が上記特定値であることを示す先読みコマンド１を生成してサブ統合制御装置８３に送信し、本処理を終了する。
【００７５】
一方、Ｓ１６０では、主制御装置８０は、新たに発生した保留記憶に係るリーチ判定用乱数と変動パターン決定用乱数１，２の値が特定値（疑似演出でスーパーリーチとなる値）か否かを判定し、肯定判定が得られた場合には（Ｓ１６０：Ｙｅｓ）、Ｓ１６５に処理を移行すると共に、否定判定が得られた場合には（Ｓ１６０：Ｎｏ）、Ｓ１７０に処理を移行する。
【００７６】
Ｓ１６５では、主制御装置８０は、新たに発生した保留記憶に係るリーチ判定用乱数と変動パターン決定用乱数１，２の値が上記特定値であることを示す先読みコマンド２を生成してサブ統合制御装置８３に送信し、本処理を終了する。
【００７７】
また、Ｓ１７０では、主制御装置８０は、新たに発生した保留記憶に係るリーチ判定用乱数と変動パターン決定用乱数１，２の値が特定値（疑似演出でノーマルリーチとなる値）か否かを判定し、肯定判定が得られた場合には（Ｓ１７０：Ｙｅｓ）、Ｓ１７５に処理を移行すると共に、否定判定が得られた場合には（Ｓ１７０：Ｎｏ）、Ｓ１８０に処理を移行する。
【００７８】
Ｓ１７５では、主制御装置８０は、新たに発生した保留記憶に係るリーチ判定用乱数と変動パターン決定用乱数１，２の値が上記特定値であることを示す先読みコマンド３を生成してサブ統合制御装置８３に送信し、本処理を終了する。
【００７９】
一方、Ｓ１８０では、主制御装置８０は、新たに発生した保留記憶に係る大当り決定用乱数やリーチ判定用乱数や変動パターン決定用乱数１，２が、上記特定値のうちのいずれでもないことを示す先読みコマンド４を生成してサブ統合制御装置８３に送信し、本処理を終了する。このように、本実施形態の先読み判定処理では、後述する当否判定処理に先んじて、Ｓ１１０の抽出乱数保留記憶処理にて記憶した数値データを参照して、該数値データが特定値であるか否かを示す先読み判定結果をサブ統合制御装置２３に送信する。
【００８０】
なお、「先読み判定処理」のＳ１５５、Ｓ１６５、Ｓ１７５、及びＳ１８０では、各種先読みコマンドを送信するだけではなく、上述した「始動入賞確認処理」（図６）のＳ１１０で生成した「保留数コマンド」を併せてサブ統合制御装置２３に送信する構成としても良い。この構成であれば、Ｓ１１０では、「保留数コマンド」を生成して、Ｓ１５５、Ｓ１６５、Ｓ１７５、及びＳ１８０の何れかを実行するまで所定のバッファに「保留数コマンド」を格納する処理が好適である。
【００８１】
図８、図９、図１０および図１１は、主制御装置８０が実行する当否判定処理を示すフローチャートである。保留記憶として記憶された大当り決定用乱数により大当り抽選を行う当否判定処理について、図８〜図１１のフローチャートを用いて説明する。なお、本処理は、メインルーチンから実行される処理である。
【００８２】
まず、図８に関して、Ｓ２００では、主制御装置８０は、特別電動役物の作動中、すなわち、大当り遊技の実行中であるか否かを判定する。そして、肯定判定の場合には（Ｓ２００：Ｙｅｓ）、本処理を終了し、否定判定の場合には（Ｓ２００：Ｎｏ）、Ｓ２０５に処理を移行する。
【００８３】
Ｓ２０５では、主制御装置８０は、特図の変動表示中か否かを判定する。そして、肯定判定の場合には（Ｓ２０５：Ｙｅｓ）、図１０のＳ２８０に処理を移行し、否定判定の場合には（Ｓ２０５：Ｎｏ）、Ｓ２１０に処理を移行する。
【００８４】
Ｓ２１０では、主制御装置８０は、特図の確定表示中か否かを判定する。そして、肯定判定の場合には（Ｓ２１０：Ｙｅｓ）、図１１のＳ２９０に処理を移行し、否定判定の場合には（Ｓ２１０：Ｎｏ）、図９のＳ２１５に処理を移行する。
【００８５】
続いて図９に関して、Ｓ２１５では、主制御装置８０は、保留記憶の有無について判定し、肯定判定の場合には（Ｓ２１５：Ｙｅｓ）、Ｓ２２０に処理を移行すると共に、否定判定の場合には（Ｓ２１５：Ｎｏ）、本処理を終了する。
【００８６】
Ｓ２２０では、主制御装置８０は、保留記憶の数をデクリメントすると共に、最も古い保留記憶を選択し、後述するＳ２３０、Ｓ２３５、Ｓ２４５、Ｓ２５０、Ｓ２５５、Ｓ２６０、及びＳ２６５等にて参照するために、該保留記憶に記憶された情報（乱数値等の数値データ）を大当り判定用の所定のバッファに移動処理して、Ｓ２２５に処理を移行する。
【００８７】
Ｓ２２５では、主制御装置８０は、確変モードであることを示す確変フラグが１か否かを判定し、肯定判定の場合には（Ｓ２２５：Ｙｅｓ）、Ｓ２３０に処理を移行すると共に、否定判定の場合には（Ｓ２２５：Ｎｏ）、Ｓ２３５に処理を移行する。
【００８８】
Ｓ２３０では、主制御装置８０は、選択された保留記憶に係る大当り判定用乱数と、確変モードに対応する当否判定用テーブル（確変テーブル）に基づき、大当り抽選を実行し、該抽選に当るか否かを判定し、該保留記憶を消化する。そして、Ｓ２４０に処理を移行する。
【００８９】
一方、Ｓ２３５では、主制御装置８０は、選択された保留記憶に係る大当り判定用乱数と、通常モードに対応する当否判定用テーブル（通常テーブル）に基づき、大当り抽選を実行し、該抽選に当るか否かを判定し、該保留記憶を消化する。そして、Ｓ２４０に処理を移行する。
【００９０】
Ｓ２４０では、主制御装置８０は、Ｓ２３０又はＳ２３５の判定結果を参照して、大当り抽選で当ったか否かを判定し、肯定判定の場合には（Ｓ２４０：Ｙｅｓ）、Ｓ２４５に処理を移行すると共に、否定判定の場合には（Ｓ２４０：Ｎｏ）、Ｓ２６０に処理を移行する。
【００９１】
Ｓ２４５では、主制御装置８０は、消化した保留記憶に係る大当り図柄決定用乱数に基づき大当り図柄を決定することで、当該大当り図柄に対応して予め定められた大当り遊技のラウンド数等を決定する。そして、Ｓ２５０に処理を移行する。
【００９２】
Ｓ２５０では、主制御装置８０は、消化した保留記憶に係る変動パターン決定用乱数等に基づき、特別図柄の変動時間等を決定し、Ｓ２５５に処理を移行する。Ｓ２５５では、主制御装置８０は、大当り遊技のラウンド数、大入賞口の開放パターン、大当り遊技に係る演出時間、インターバル時間、及び大当り遊技の演出態様等を設定し、Ｓ２７０に処理を移行する。
【００９３】
一方、Ｓ２４０で否定判定が得られた場合に移行する（すなわち、大当り抽選で外れた際に移行する）Ｓ２６０では、主制御装置８０は、消化した保留記憶に係る変動パターン決定用乱数等に基づき、特別図柄の変動時間等を決定し、Ｓ２６５に処理を移行する。
【００９４】
Ｓ２６５では、主制御装置８０は、確変モード中に実行可能な大当り抽選の残り回数を示すカウンタや、時短モード中に実行可能な大当り抽選の残り回数を示すカウンタの更新等を行い、Ｓ２７０に処理を移行する。
【００９５】
Ｓ２７０では、主制御装置８０は、上述したＳ２２０においてデクリメントした結果として残った保留記憶の数を示す「保留数コマンド」をサブ統合制御装置８３に送信し、Ｓ２７５に処理を移行する。なお、Ｓ２７０にてサブ統合制御装置８３に送信する保留情報（コマンド）は、消化（消滅）によって残った保留記憶の数を示すコマンドではなく、保留記憶の減少を示す情報を送信する構成でも良い。
【００９６】
Ｓ２７５では、主制御装置８０は、特別図柄の変動時間や大当り抽選の結果等を示す変動開始コマンドをサブ統合制御装置８３に送信すると共に、特別図柄の変動を開始させ、本処理を終了する。このように、主制御装置８０は、大当り抽選の結果を、特別図柄の変動表示の結果にて報知する。なお、変動開始コマンドを受信したサブ統合制御装置８３は、大当り抽選の結果、特別図柄の変動時間をもとに、特別図柄の変動時間と同じ時間の演出の中から演出図柄表示装置６にて表示する疑似演出を選択し、選択した疑似演出を表示させる。また、変動開始コマンドは、さらに、大当り抽選により消化された保留記憶が、第１始動口１１への入賞により生成されたものであるか、第２始動口１２への入賞により生成されたものであるかを示しても良い。
【００９７】
続いて図１０に関して、特図の変動表示中に移行するＳ２８０では、主制御装置８０は、特図の変動時間が経過したか否かを判定し、肯定判定の場合には（Ｓ２８０：Ｙｅｓ）、Ｓ２８５に処理を移行すると共に、否定判定の場合には（Ｓ２８０：Ｎｏ）、本処理を終了する。
【００９８】
Ｓ２８５では、主制御装置８０は、特図の変動表示を終了し、特図の確定図柄を表示させると共に、サブ統合制御装置８３に対し演出図柄の確定表示を行わせる図柄確定コマンドを送信し、本処理を終了する。
【００９９】
続いて図１１に関して、特図の確定表示中に移行するＳ２９０では、主制御装置８０は、特図の確定表示の継続時間が終了したか否かを判定する。そして、肯定判定の場合には（Ｓ２９０：Ｙｅｓ）、Ｓ２９５に処理を移行すると共に、否定判定の場合には（Ｓ２９０：Ｎｏ）、本処理を終了する。
【０１００】
Ｓ２９５では、主制御装置８０は、特図の確定表示を終了し、Ｓ３００に処理を移行する。Ｓ３００では、主制御装置８０は、確定表示されていた特図が大当り時のものであるかを判定し、肯定判定の場合には（Ｓ３００：Ｙｅｓ）、Ｓ３０５に処理を移行すると共に、否定判定の場合には（Ｓ３００：Ｎｏ）、Ｓ３４０に処理を移行する。
【０１０１】
Ｓ３０５では、主制御装置８０は、確変モードであることを示す確変フラグを参照すると共に、確変フラグが１である場合には確変フラグをクリアし（Ｓ３１０）、その後、Ｓ３１５に処理を移行する。
【０１０２】
Ｓ３１５では、主制御装置８０は、時短モードであることを示す時短フラグを参照すると共に、時短フラグが１である場合には時短フラグをクリアし（Ｓ３２０）、その後、Ｓ３２５に処理を移行する。
【０１０３】
そして、主制御装置８０は、条件装置作動開始処理（Ｓ３２５），役物連続作動装置作動開始処理（Ｓ３３０），大当り開始演出処理（Ｓ３３５）を順次実行することで、大当り遊技の態様を示すコマンドや、大当り遊技の開始を指示するコマンドをサブ統合制御装置８３に送信する等して大当り遊技を開始し、本処理を終了する。
【０１０４】
一方、Ｓ３００にて否定判定が得られた場合に移行するＳ３４０では、主制御装置８０は、確変フラグを参照し、該フラグが１である場合には（Ｓ３４０：Ｙｅｓ）、確変モード中に実行可能な大当り抽選の残り回数（確変回数）を参照する（Ｓ３４５）。そして、確変回数が０である場合には（Ｓ３４５：Ｙｅｓ）、確変フラグをクリアし（Ｓ３５０）、Ｓ３５５に処理を移行する。
【０１０５】
Ｓ３５５では、主制御装置８０は、時短フラグを参照し、該フラグが１である場合には（Ｓ３５５：Ｙｅｓ）、時短モード中に実行可能な大当り抽選の残り回数（時短回数）を参照する（Ｓ３６０）。そして、時短回数が０である場合には（Ｓ３６０：Ｙｅｓ）、時短フラグをクリアし（Ｓ３６５）、Ｓ３７０に処理を移行する。
【０１０６】
Ｓ３７０では、主制御装置８０は、状態指定コマンド送信処理を実行し、本処理を終了する。
【０１０７】
図１２、図１３および図１４は、主制御装置８０が実行する大当り遊技処理を示すフローチャートである。大当り遊技の進行を制御する大当り遊技処理について、図１２〜図１４のフローチャートを用いて説明する。本処理は、メインルーチンから実行される処理である。
【０１０８】
Ｓ４００では、主制御装置８０は、役物連続作動装置の作動中、すなわち、大当り遊技の実行中であるか否かを判定する。そして、肯定判定の場合には（Ｓ４００：Ｙｅｓ）、Ｓ４０５に処理を移行し、否定判定の場合には（Ｓ４００：Ｎｏ）、本処理を終了する。
【０１０９】
Ｓ４０５では、主制御装置８０は、大入賞口１４の開放中であるか否かを判定し、肯定判定の場合には（Ｓ４０５：Ｙｅｓ）、図１３のＳ４３０に処理を移行すると共に、否定判定の場合には（Ｓ４０５：Ｎｏ）、Ｓ４１０に処理を移行する。
【０１１０】
Ｓ４１０では、主制御装置８０は、大当り遊技における各ラウンドのインターバル中であるか否かを判定し、肯定判定の場合には（Ｓ４１０：Ｙｅｓ）、図１３のＳ４５０に処理を移行すると共に、否定判定の場合には（Ｓ４１０：Ｎｏ）、Ｓ４１５に処理を移行する。
【０１１１】
Ｓ４１５では、主制御装置８０は、大当り遊技の終了演出中であるか否かを判定し、肯定判定の場合には（Ｓ４１５：Ｙｅｓ）、図１４のＳ４７０に処理を移行すると共に、否定判定の場合には（Ｓ４１５：Ｎｏ）、Ｓ４２０に処理を移行する。
【０１１２】
Ｓ４２０では、主制御装置８０は、大当り遊技における開始演出時間が経過したか否かを判定し、肯定判定の場合には（Ｓ４２０：Ｙｅｓ）、Ｓ４２５に処理を移行すると共に、否定判定の場合には（Ｓ４２０：Ｎｏ）、本処理を終了する。
【０１１３】
Ｓ４２５では、主制御装置８０は、大入賞口１４を開放させる大入賞口開放処理を実行し、本処理を終了する。続いて図１３に関して、大入賞口１４の開放中に移行するＳ４３０では、主制御装置８０は、大入賞口１４に入賞した遊技球の数が１０個となったか否かを判定する。そして、肯定判定の場合には（Ｓ４３０：Ｙｅｓ）、Ｓ４４０に処理を移行すると共に、否定判定の場合には（Ｓ４３０：Ｎｏ）、Ｓ４３５に処理を移行する。
【０１１４】
Ｓ４３５では、主制御装置８０は、大入賞口１４の開放時間が終了したか否かを判定し、肯定判定の場合には（Ｓ４３５：Ｙｅｓ）、Ｓ４４０に処理を移行すると共に、否定判定の場合には（Ｓ４３５：Ｎｏ）、本処理を終了する。
【０１１５】
Ｓ４４０では、主制御装置８０は、大入賞口１４を閉鎖させる大入賞口閉鎖処理を実行し、Ｓ４４５に処理を移行する。Ｓ４４５では、主制御装置８０は、大当り遊技の各ラウンドのインターバルを設定する大当りインターバル処理を実行し、本処理を終了する。
【０１１６】
一方、各ラウンドのインターバル中に移行するＳ４５０では、主制御装置８０は、大当り遊技のインターバル時間が経過したか否かを判定し、肯定判定の場合には（Ｓ４５０：Ｙｅｓ）、Ｓ４５５に処理を移行すると共に、否定判定の場合には（Ｓ４５０：Ｎｏ）、本処理を終了する。
【０１１７】
Ｓ４５５では、主制御装置８０は、大当り遊技の最終ラウンドか否かを判定し、肯定判定の場合には（Ｓ４５５：Ｙｅｓ）、Ｓ４６０に処理を移行すると共に、否定判定の場合には（Ｓ４５５：Ｎｏ）、Ｓ４６５に処理を移行する。
【０１１８】
Ｓ４６０では、主制御装置８０は、大当り遊技を終了させる際の演出を行う大当り終了演出処理を実行し、本処理を終了する。一方、Ｓ４６５では、主制御装置８０は、大入賞口１４を開放させる大入賞口開放処理を実行し、本処理を終了する。
【０１１９】
続いて図１４に関して、大当り遊技の終了演出中に移行するＳ４７０では、主制御装置８０は、該終了演出の時間が終了したか否かを判定し、肯定判定の場合には（Ｓ４７０：Ｙｅｓ）、Ｓ４７５に処理を移行すると共に、否定判定の場合には（Ｓ４７０：Ｎｏ）、本処理を終了する。
【０１２０】
続くＳ４７５，Ｓ４８０では、主制御装置８０は、役物連続作動装置と条件装置とを停止させ、Ｓ４８５に処理を移行する。Ｓ４８５では、主制御装置８０は、大当り遊技後に確変モードに移行するか否かを判定し、肯定判定の場合には（Ｓ４８５：Ｙｅｓ）、確変モード中に実行可能な大当り抽選の回数（確変回数）を設定すると共に（Ｓ４９０）、確変フラグをセットし（Ｓ４９５）、Ｓ５００に処理を移行する。
【０１２１】
Ｓ５００では、主制御装置８０は、大当り遊技後に時短モードに移行するか否かを判定し、肯定判定の場合には（Ｓ５００：Ｙｅｓ）、時短モード中に実行可能な大当り抽選の回数（時短回数）を設定すると共に（Ｓ５０５）、時短フラグをセットし（Ｓ５１０）、Ｓ５１５に処理を移行する。
【０１２２】
Ｓ５１５，Ｓ５２０では、主制御装置８０は、サブ統合制御装置８３に対し、大当り遊技に関する演出を終了させる大当り終了コマンドを送信する処理と、状態指定コマンド送信処理とを実行し、本処理を終了する。
【０１２３】
図１５は、サブ統合制御装置８３が実行する保留表示処理を示すフローチャートである。保留記憶が生成された際に、該保留記憶に対応する保留図柄を演出図柄表示装置６に表示する保留表示処理について、図１５に記載のフローチャートを用いて説明する。なお、本処理は、サブ統合制御装置８３にて定期的（例えば、２ｍｓ周期のタイマ割り込み処理）に実行される処理である。
【０１２４】
Ｓ６００では、サブ統合制御装置８３は、主制御装置８０から先読みコマンドおよび保留数コマンドを受信したか否かを判定し、肯定判定が得られた場合には（Ｓ６００：Ｙｅｓ）、Ｓ６０５に処理を移行すると共に、否定判定が得られた場合には（Ｓ６００：Ｎｏ）、本処理を終了する。
【０１２５】
Ｓ６０５では、サブ統合制御装置８３は、受信した先読みコマンドにより先読み判定の結果が示される新たな保留記憶よりも先に生成された保留記憶（先行保留記憶）が存在しない場合には、抽選により、該先読みコマンドの種類に応じた確率で、複数の保留図柄の中から新たな保留記憶に対応して表示する保留図柄の種類を選択する。また、先行保留記憶が存在する場合には、抽選により、該先読みコマンドの種類に応じた確率で、複数の保留図柄の中から新たな保留記憶に対応して表示する保留図柄の種類を選択し（変化演出が行われる場合には該保留図柄が最終保留図柄となる。つまり、変化演出が行われる場合には、変化演出のプロセスの過程において最終的に表示する図柄を選択し、変化演出を行わない場合は保留消化まで維持される図柄を選択する）、Ｓ６１０に処理を移行する。
【０１２６】
Ｓ６１０では、サブ統合制御装置８３は、先行保留記憶が存在する場合には、抽選により、選択された保留図柄（最終保留図柄）の種類と先読みコマンドの種類とに応じた確率で、新たな保留記憶についての変化演出を行うか否かを決定する。そして、変化演出を行う場合には（Ｓ６１０：Ｙｅｓ）、Ｓ６１５に処理を移行し、変化演出を行わない場合には（Ｓ６１０：Ｎｏ）、Ｓ６３０に処理を移行する。なお、先行保留記憶が存在しない場合には、必ず否定判定となり、Ｓ６３０に処理を移行する。すなわち、本実施形態では、今回受信した先読みコマンドに対応する保留図柄しか表示されない場合には、変化演出を行わないように構成されている。
【０１２７】
Ｓ６１５では、サブ統合制御装置８３は、抽選により、最終保留図柄の種類と先読みコマンドの種類とに応じた確率で、最終保留図柄とは異なる種類の保留図柄を一時保留図柄として選択し、Ｓ６２０に処理を移行する。つまり、変化演出のプロセスにおける最初の過程にて表示される保留図柄を選択する。
【０１２８】
Ｓ６２０では、サブ統合制御装置８３は、新たな保留記憶に対応して演出図柄表示装置６に一時保留図柄を表示し、Ｓ６２５に処理を移行する。
【０１２９】
Ｓ６２５では、サブ統合制御装置８３は、抽選により、いずれかの先行保留記憶の消化時期を、一時保留図柄を最終保留図柄に変化させるタイミングとして選択し、本処理を終了する。すなわち、後述する保留表示更新処理（図１６）のＳ７０５が実行された時に、上記Ｓ６２０にて表示された一時保留図柄が、演出図柄表示装置６のどの保留表示位置に表示された時点にて最終保留図柄に変化するか、を選択決定する。また、本実施形態では、一時保留図柄が表示されているときに、段階演出が実行されても、該一時保留図柄が変化することなく維持される場合も設定されている。Ｓ６２５では、このような場合に対応して、実行されても一時保留図柄が変化することのない段階演出の実行タイミングを決定する。
【０１３０】
一方、変化演出が行われない場合に移行するＳ６３０では、サブ統合制御装置８３は、新たな保留記憶に対応して演出図柄表示装置６に最終保留図柄を表示し、Ｓ６３５に処理を移行する。変化演出を行わないため、Ｓ６３０で表示された最終保留図柄は、変動表示開始まで維持される。
【０１３１】
Ｓ６３５では、サブ統合制御装置８３は、最終保留図柄として特別保留図柄が表示された場合には、抽選により、該特別保留図柄の種類と先読みコマンドの種類とに応じた確率で、疑似的な段階演出を行うか否かを決定し、Ｓ６４０に処理を移行する。なお、疑似的な段階演出は、実行されても変化演出が実行されることがなく、表示されている保留図柄は維持される演出である。
【０１３２】
Ｓ６４０では、サブ統合制御装置８３は、疑似的な段階演出を行うことが決定されたか否かを判定し、肯定判定が得られた場合には（Ｓ６４０：Ｙｅｓ）、Ｓ６４５に処理を移行し、否定判定が得られた場合には（Ｓ６４０：Ｎｏ）、本処理を終了する。
【０１３３】
Ｓ６４５では、サブ統合制御装置８３は、抽選により、いずれか一つの先行保留記憶の消化時期を疑似的な段階演出の実行タイミングとして選択し、本処理を終了する。なお、複数の保留記憶の消化時期を、疑似的な段階演出の実行タイミングとして選択しても良い。このように、本実施形態では、Ｓ６３０〜Ｓ６４５を備えることで、つまり、疑似的な段階演出を備えることで、該疑似的な段階演出が実行されても、表示中の保留図柄を信頼度の異なる別の保留図柄へ変化しない場合を発生可能としている。
【０１３４】
図１６は、サブ統合制御装置８３が実行する保留表示更新処理を示すフローチャートである。保留記憶が消化された際に、演出図柄表示装置６に表示されている保留図柄の表示位置を更新すると共に、変化演出や段階演出を行う保留表示更新処理について、図１６に記載のフローチャートを用いて説明する。なお、本処理は、サブ統合制御装置８３にて定期的（例えば、２ｍｓ周期のタイマ割り込み処理）に実行される処理である。
【０１３５】
Ｓ７００では、サブ統合制御装置８３は、主制御装置８０から保留数コマンド（保留情報）を受信したか否かを判定し、肯定判定が得られた場合には（Ｓ７００：Ｙｅｓ）、Ｓ７０５に処理を移行すると共に、否定判定が得られた場合には（Ｓ７００：Ｎｏ）、本処理を終了する。
【０１３６】
Ｓ７０５では、サブ統合制御装置８３は、演出図柄表示装置６に表示されている最も古い保留記憶に対応する保留図柄を消去すると共に、これ以外に保留図柄が表示されている場合には、残りの保留図柄の表示位置を順にシフトし、Ｓ７１０に処理を移行する。例えば、演出図柄表示装置６は、下方に保留図柄の表示領域を備え、保留図柄の表示領域は、第１保留図柄表示位置から第４保留図柄表示位置までの４個の表示位置にて構成されてもよい。第１保留図柄表示位置は、略中央に位置し、最も古い保留記憶に対応した保留図柄すなわち次に変動開始される保留記憶に対応した保留図柄が表示されてもよい。第１保留図柄表示位置から右方向に向かって、第２、第３、第４保留図柄表示位置が順に設けられてもよい。新たな保留記憶が発生する都度、順に最古の保留図柄の右側の表示位置に表示されて、保留記憶の上限数である４個までが表示可能となっていてもよい。
【０１３７】
Ｓ７１５では、サブ統合制御装置８３は、表示中の保留図柄の中に一時保留図柄が有るか否か、すなわち「変化演出」の実行が予定されておりその初期プロセスにあるか否かを判定し、肯定判定が得られた場合には（Ｓ７１５：Ｙｅｓ）、Ｓ７２５に処理を移行すると共に、否定判定が得られた場合には（Ｓ７１５：Ｎｏ）、Ｓ７６０に処理を移行する。
【０１３８】
Ｓ７２５では、サブ統合制御装置８３は、表示中の一時保留図柄を最終保留図柄に変更表示する時期となったか、すなわち今回のシフト処理（保留図柄の移動処理）によって、対象となる一時保留図柄が、予定された表示位置に表示されたか否かを判定し、肯定判定が得られた場合には（Ｓ７２５：Ｙｅｓ）、Ｓ７３０に処理を移行すると共に、否定判定が得られた場合には（Ｓ７２５：Ｎｏ）、Ｓ７３０に処理を移行する。
【０１３９】
Ｓ７３０では、サブ統合制御装置８３は、抽選により、変化させるタイミングが到来した一時保留図柄の種類と、該一時保留図柄に替えて表示される最終保留図柄の種類と、該一時保留図柄に対応する保留記憶についての先読みコマンドの種類とに応じた確率で段階演出の態様を選択し、Ｓ７３５に処理を移行する。
【０１４０】
Ｓ７３５では、サブ統合制御装置８３は、演出図柄表示装置６にて選択した態様の段階演出を行い、Ｓ７４０に処理を移行する。Ｓ７４０では、サブ統合制御装置８３は、演出図柄表示装置６にて表示中の変化させるタイミングが到来した一時保留図柄を、先に選択された最終保留図柄に変更し、Ｓ７４５に処理を移行する。
【０１４１】
Ｓ７４５では、サブ統合制御装置８３は、実行済みでない疑似的な段階演出（疑似段階演出）の有無を判定し、肯定判定が得られた場合には（Ｓ７４５：Ｙｅｓ）、Ｓ７５０に処理を移行すると共に、否定判定が得られた場合には（Ｓ７４５：Ｎｏ）、本処理を終了する。
【０１４２】
Ｓ７５０では、サブ統合制御装置８３は、実行済みでない疑似的な段階演出の実行タイミングが到来したか否かを判定し、肯定判定が得られた場合には（Ｓ７５０：Ｙｅｓ）、Ｓ７５５に処理を移行すると共に、否定判定が得られた場合には（Ｓ７５０：Ｎｏ）、本処理を終了する。
【０１４３】
Ｓ７５５では、サブ統合制御装置８３は、抽選により、実行済みでない疑似的な段階演出の対象となる特別保留図柄の種類と、該特別保留図柄に対応する保留記憶についての先読みコマンドの種類とに応じた確率で、該段階演出の態様を選択し、選択された態様の疑似的な段階演出を行い、本処理を終了する。
【０１４４】
Ｓ７１５にて否定判定の場合に移行するＳ７６５で、サブ統合制御装置８３は、最終保留図柄が表示されているか否かを判定し、肯定判定が得られた場合には（Ｓ７６５：Ｙｅｓ）、Ｓ７７０に処理を移行すると共に、否定判定が得られた場合には（Ｓ７６５：Ｎｏ）、本処理を終了する。このときに表示されている最終保留図柄は、予め選択された「変化演出」の最終プロセスにより表示された最終保留図柄である。
【０１４５】
Ｓ７７０で、サブ統合制御装置８３は、表示されている最終保留図柄が、最も期待度の高い保留図柄以外の保留図柄であるか否かを判定し、肯定判定が得られた場合には（Ｓ７７０：Ｙｅｓ）、Ｓ７４５に処理を移行すると共に、否定判定が得られた場合には（Ｓ７７０：Ｎｏ）、本処理を終了する。
【０１４６】
Ｓ７５５では、疑似段階演出を実行する。疑似段階演出は、表示上、遊技者には段階演出と判別不能に設定されている。疑似段階演出と段階演出は何れも、「変化演出」すなわち一時保留図柄が期待度の異なる他の図柄への変化が、実行される可能性を有する旨を示す、変化の前兆を示す演出である。そして、段階演出は変化演出に先立って実行され、疑似段階演出は、該疑似段階演出が実行されても変化演出は実行されない。このような構成により、本実施形態では、変化演出の前兆を示す演出を行ったとしても、変化演出が行われない場合が発生可能になっており、所謂ガセ演出を備える。よって、段階演出や疑似段階演出が実行されると、遊技者は、変化演出が行われるか否かに期待感を抱くことができる。また、段階演出や疑似段階演出が実行されても、必ず変化演出が実行されるとは限らないので、変化演出が実行されたときの遊技者の喜びを向上させることができる。
【０１４７】
また、Ｓ７７０では、予め定められた変化演出の最終プロセスとして最終保留図柄が表示されていても、それが昇格の可能性の無い、最も期待度の高い保留図柄以外、つまり未だ昇格の可能性のある保留図柄が表示されているときは、疑似段階演出の実行を禁止しない構成となっている。これにより、疑似段階演出が実行されないことで、表示されている保留図柄が最終保留図柄であることを遊技者に察知されてしまい、興趣が低下することを防止することができる。
【０１４８】
本実施形態では、上述した保留記憶の消化後、すなわち、当該保留記憶に基づく変動表示中に表示される変動中図柄を備える。該変動中図柄は、上記保留図柄と同様、対応する保留記憶（変動中図柄においては既に消化されている）により大当りとなる可能性の有無や大きさを示唆する。但し、上記保留図柄が保留記憶の開始から変動表示の開始までの期間において表示されるのに対して、変動中図柄は、変動表示の開始から図柄の確定表示までの期間において表示される。本実施形態では、一時変動中図柄や最終変動中図柄を備えてもよく、さらに、変動中図柄を対象とした変化演出も実行されるように構成されてもよい。
【０１４９】
本実施形態では、上述したように、変動表示の実行開始から終了までにおいて表示される変動中図柄を備える。例えば、変動表示中の特別図柄に対応して演出図柄の変動表示が実行されるときに変動中図柄が表示される。変動中図柄は、対象となる当該変動表示の結果が大当りとなる期待度を示す最終変動中図柄と、該最終変動中図柄よりも前の時点にて表示される一時変動中図柄を少なくとも備えることができる。一時変動中図柄は、最終変動中図柄への変更表示が予定される変動中図柄である。
【０１５０】
また、本実施形態において、変動表示開始時に、つまり最初に表示される変動中図柄は、該変動中図柄が表示される直前まで表示されていた最古の保留図柄と関連性を有する態様にて表示されてもよい。関連性を有する態様とは、色彩、形状等において、個々に判別可能でありつつ、保留図柄に対応した変動中図柄であることが、一目瞭然に判別可能となるよう設定された態様であってもよい。
【０１５１】
変動中図柄は、保留図柄よりも大きく表示されてもよい。また、２次元的表示である保留図柄に対して、変動中図柄は立体的に表現されてもよい。このように設定されることで、遊技者は、一見して明らかに両者が関連していることを認識しつつ、一方両者が同じカテゴリに属さないことも同時に理解可能となる。
【０１５２】
保留記憶が消化される際に、対応する保留図柄が変動中図柄の表示される領域に変位して変動中図柄と置き換えられるように表示するようにしてもよい。これにより、両者の関連性をより明確に遊技者に知らしめることができると共に、両者が異なるカテゴリに属する図柄であることを明確にすることができる。
【０１５３】
また、本実施形態の変動中図柄は、変動表示中における所定の演出段階に到達したタイミングにて、表示が消去されるように構成してもよい。例えば、変動表示中においてスーパーリーチに発展するまで表示が維持され、スーパーリーチとなった時点にて消去されるようにしてもよい。この際には、併せて保留図柄の表示も一時的に表示を中断（消去）することが好適である。これにより、遊技者の注意が、変動中図柄や保留図柄により散漫となることを防止し、スーパーリーチに集中させることができるので、遊技内容の展開に対応した最適な状態で、興趣を向上することが可能となる。
【０１５４】
本実施形態では、図１５の保留表示処理において、Ｓ６０５で、サブ統合制御装置８３は、最終変動中図柄を選択決定する処理を行う。さらに、Ｓ６１０にて、変化演出を実行するか否かの判定結果が肯定判定となった場合、Ｓ６２５で、「最終図柄表示時期決定処理」を行う。
【０１５５】
本実施形態のＳ６２５では、変動表示中も含めた何れの時期にて、保留図柄又は変動中図柄の最終的な態様の表示を行うかを決定する。つまり、変動開始前であれば、何れの保留図柄表示位置に表示された時に最終変動中図柄に関連した態様の保留図柄に変更するかを決定し、変動中であれば変動表示中のどの時期に、表示されている一時変動中図柄を最終変動中図柄に変更するかを決定する。Ｓ６２５では、このように、保留図柄の表示開始から最終変動中図柄の表示までの表示プロセスを決定する。そして、当該決定された表示プロセスに係るデータは、保留記憶毎に設けられた「表示プロセス格納バッファ」に格納され、当該保留記憶に係る変動表示が終了するまで保存されるよう構成されている。
【０１５６】
なお、上記プロセスとしては、図示しないが、最終変動中図柄に関連した態様の保留図柄に至るまでに、期待度の異なる複数種類の保留図柄の変化演出を介するようにしても良いし、最終変動中図柄に至るまでに期待度の異なる複数種類の変動中図柄の変化演出を介するようにしても良い。このように本実施形態では、Ｓ６２５で決定した変化演出の表示プロセスに従って、演出が展開される。
【０１５７】
本実施形態の表示プロセスは、上述したように、Ｓ６２５の「最終図柄表示時期決定処理」にて決定される。決定された内容には、対象となる保留記憶、又は該保留記憶に基づく変動表示の、最終図柄表示時期を変動開始前の何れの時期とするか、又は、変動中の何れの時期とするか、が含まれる。そして、本実施形態では、変動開始前の時期に決定した場合には、該時期に一時保留図柄を最終変動中図柄に関連した保留図柄に変更表示する。該保留図柄は対象となる保留記憶が消化されるまで表示が維持される。そして、変動開始されて該保留図柄が消去されるのに合わせて、該保留図柄と関連のある態様で設定された変動中図柄が表示開始され、該変動中図柄が変動表示終了まで表示維持される。
【０１５８】
また、本実施形態では、変動中の時期に決定した場合には、変動開始されて保留図柄が消去されるのに合わせて、該保留図柄と関連のある態様で設定された一時変動中図柄が表示開始される。変動表示中に、決定された時期が到来すると、該一時変動中図柄を最終変動中図柄に変更して、該最終変動中図柄の表示終了時期が到来するまで表示維持する。
【０１５９】
図１６の保留表示更新処理において、本実施形態のＳ７２５では、最終変動中図柄に関連した態様の保留図柄を表示する時期が到来したか否かを判定する。また、本実施形態のＳ７４０では、一時保留図柄を最終変動中図柄に関連した態様の保留図柄に変更する処理を実行する。また、本実施形態のＳ７６５では、最終変動中図柄に関連した態様の保留図柄が表示されているか否かを判定する処理を実行する。さらに、本実施形態のＳ７７０では、最終変動中図柄に関連した態様の保留図柄が、最も高い信頼度の保留図柄以外の態様で表示されているか否かを判定する処理を実行する。
【０１６０】
図１７は、サブ統合制御装置８３が実行する変動中表示更新処理を示すフローチャートである。変動表示中に、演出図柄表示装置６に表示されている変動中図柄を変更表示する変動中表示更新処理について、図１７に記載のフローチャートを用いて説明する。なお、本処理は、サブ統合制御装置８３にて定期的（例えば、２ｍｓ周期のタイマ割り込み処理）に実行される処理である。
【０１６１】
Ｓ１７００では、サブ統合制御装置８３は、変動表示の開始時か否かを判定し、肯定判定が得られた場合には（Ｓ１７００：Ｙｅｓ）、Ｓ１７０５に処理を移行すると共に、否定判定が得られた場合には（Ｓ１７００：Ｎｏ）、Ｓ１７０２に処理を移行する。
【０１６２】
Ｓ１７０５では、サブ統合制御装置８３は、当該変動表示の開始直前に消去された最古の保留図柄に関連した態様の変動中図柄を選択して、これを表示し、本処理を終了する。
【０１６３】
Ｓ１７０２では、サブ統合制御装置８３は、変動表示中か否かを判定し、肯定判定が得られた場合には（Ｓ１７０２：Ｙｅｓ）、Ｓ１７０７に処理を移行すると共に、否定判定が得られた場合には（Ｓ１７０２：Ｎｏ）、本処理を終了する。
【０１６４】
Ｓ１７１５では、サブ統合制御装置８３は、一時変動中図柄が表示中か否か、すなわち変動中図柄を変化（昇格）させる演出のプロセス途中であるか否かを判定し、肯定判定が得られた場合には（Ｓ１７１５：Ｙｅｓ）、Ｓ１７２５に処理を移行すると共に、否定判定が得られた場合には（Ｓ１７１５：Ｎｏ）、Ｓ１７６０に処理を移行する。つまり、上述した、Ｓ６２５の「最終図柄表示時期決定処理」の決定結果に基づき、一時変動中図柄が表示されているか否かを判定する処理である。
【０１６５】
Ｓ１７２５では、サブ統合制御装置８３は、一時変動中図柄を最終変動中図柄に変更するための予め定められた時期が到来したか否かを判定し、肯定判定が得られた場合には（Ｓ１７２５：Ｙｅｓ）、Ｓ１７３０に処理を移行すると共に、否定判定が得られた場合には（Ｓ１７２５：Ｎｏ）、Ｓ１７４５に処理を移行する。
【０１６６】
Ｓ１７３０では、サブ統合制御装置８３は、段階演出を選択し、次いで、Ｓ１７３５で、選択した段階演出を表示して、Ｓ１７４０に処理を移行する。
【０１６７】
Ｓ１７４０では、サブ統合制御装置８３は、表示中の一時変動中図柄を最終変動中図柄に変更して、Ｓ１７４５に処理を移行する。
【０１６８】
Ｓ１７１５で否定判定の際に移行するＳ１７６５では、サブ統合制御装置８３は、最終変動中図柄が表示されているか否かの判定処理を実行し、肯定判定が得られた場合には（Ｓ１７６５：Ｙｅｓ）、Ｓ１７７０に処理を移行すると共に、否定判定が得られた場合には（Ｓ１７６５：Ｎｏ）、本処理を終了する。
【０１６９】
Ｓ１７７０では、サブ統合制御装置８３は、表示されている最終変動中図柄が、最も高い信頼度の保留図柄に関連した態様の変動中図柄以外の変動中図柄か否かの判定処理を実行し、肯定判定が得られた場合には（Ｓ１７７０：Ｙｅｓ）、Ｓ１７４５に処理を移行すると共に、否定判定が得られた場合には（Ｓ１７７０：Ｎｏ）、本処理を終了する。
【０１７０】
Ｓ１７４５では、サブ統合制御装置８３は、実行されていない疑似段階演出が有るか否かを判定し、肯定判定が得られた場合には（Ｓ１７４５：Ｙｅｓ）、Ｓ１７５０に処理を移行すると共に、否定判定が得られた場合には（Ｓ１７４５：Ｎｏ）、本処理を終了する。
【０１７１】
Ｓ１７５０では、サブ統合制御装置８３は、実行されていない疑似段階演出の予定された実行時期が到来したか否かを判定し、肯定判定が得られた場合には（Ｓ１７５０：Ｙｅｓ）、Ｓ１７５５に処理を移行すると共に、否定判定が得られた場合には（Ｓ１７５０：Ｎｏ）、本処理を終了する。
【０１７２】
Ｓ１７５５では、サブ統合制御装置８３は、疑似段階演出の表示を実行して、本処理を終了する。
【０１７３】
本実施形態では、パチンコ機５０は、乱数抽出手段と、当否判定手段と、可変表示手段と、保留記憶手段と、保留図柄表示手段と、先読み判定手段と、保留図柄選定手段と、レベル変化手段とを備える。パチンコ機５０は、更に、保留図柄変化手段と、特別保留図柄変化手段とを備えてもよい。
【０１７４】
パチンコ機５０の主制御装置８０は、抽出乱数保留記憶処理（図６のステップＳ１１０）を実行する際、遊技球の始動口への入球に応じて乱数を抽出する乱数抽出手段として機能するとともに、可変表示手段による実行が保留されている可変表示に対応する乱数を記憶する保留記憶手段として機能する。
【０１７５】
パチンコ機５０の主制御装置８０は、当否判定処理（図８、図９、図１０および図１１）を実行する際、乱数抽出手段によって抽出される乱数に基づいて大当りか否かの抽選結果を判定する当否判定手段として機能する。
【０１７６】
パチンコ機５０の演出図柄表示装置６および演出図柄制御装置８２は、図柄の可変表示によって抽選結果を報知する可変表示手段として機能する。
【０１７７】
パチンコ機５０の演出図柄表示装置６、演出図柄制御装置８２およびサブ統合制御装置８３は、保留表示処理（図１５）および保留表示更新処理（図１６）を実行する際、保留記憶手段によって記憶されている乱数に対応する保留図柄を表示する保留図柄表示手段として機能する。
【０１７８】
パチンコ機５０の主制御装置８０は、先読み判定処理（図６のステップＳ１１５、図７）を実行する際、当否判定手段による判定に先立って、保留記憶手段によって記憶されている乱数に基づく抽選結果が大当りか否かを判定する先読み判定手段として機能する。
【０１７９】
パチンコ機５０の演出図柄表示装置６、演出図柄制御装置８２およびサブ統合制御装置８３は、保留表示処理（図１５）および保留表示更新処理（図１６）を実行する際、先読み判定手段による判定結果に基づいて、抽選結果が大当りとなる信頼度として異なる値がそれぞれ設定された複数の保留図柄の中から、保留図柄表示手段によって表示される保留図柄を選定する保留図柄選定手段として機能する。
【０１８０】
本実施形態では、複数の保留図柄は、所定の範囲にわたる信頼度が設定された保留図柄を含む。パチンコ機５０は、保留図柄に設定された所定の範囲にわたる信頼度のレベルを示すレベル表示を含む。レベル表示は、所定の範囲にわたる信頼度が設定された保留図柄と共に表示される。
【０１８１】
図１８は、保留図柄およびレベル表示と信頼度との関係の一例を示す説明図である。本実施形態では、保留図柄とレベル表示との組み合わせに応じて、抽選結果が大当りとなる信頼度が設定されている。この「信頼度」は、抽選結果が大当りとなる「期待度」とも呼ばれる。例えば、５％の信頼度とは、その信頼度が設定された保留図柄が最終保留表示として１００回表示された場合に５回が大当りとなる確率であることを意味する。
【０１８２】
本実施形態では、レベル表示のレベルは、低いレベルから、「レベル０」、「レベル５」、「レベル１０」の３段階である。他の実施形態では、レベル表示のレベルは、２段階であってもよいし、４段階以上であってもよい。本実施形態では、レベル表示は、横長の矩形の内側を塗りつぶした領域の大きさによってレベルを表示する。「レベル０」のレベル表示２００ａは、白抜きの矩形である。「レベル５」のレベル表示２００ｂは、左半分を塗りつぶした矩形である。「レベル１０」のレベル表示２００ｃは、全域を塗りつぶした矩形である。レベル表示は、種々の表示態様を採用することができ、他の図形表現によってレベルを表示してもよいし、数字によってレベルを表示してもよいし、文字（例えば、「低」、「中」、「高」など）によってレベルを表示してもよいし、色によってレベルを表示してもよい。
【０１８３】
本実施形態では、保留図柄の種類は、円形の図柄と、三角形の図柄と、矩形の図柄と、星形の図柄との４種類である。他の実施形態では、保留図柄の種類は、２種類でもよいし、３種類でもよいし、５種類以上であってもよい。保留図柄の種類は、形状の相違に限らず、色の相違でもよいし、大きさの相違でもよいし、形状、色、大きさの組み合わせの相違であってもよい。
【０１８４】
円形の保留図柄は、所定の範囲にわたる信頼度が設定された保留図柄であり、レベル表示を伴わない保留図柄１１０と、レベル表示２００ａを伴うレベル表示保留図柄である保留図柄１１０ａと、レベル表示２００ｂを伴うレベル表示保留図柄である保留図柄１１０ｂと、レベル表示２００ｃを伴うレベル表示保留図柄である保留図柄１１０ｃとを含む。保留図柄１１０には、１％以下の信頼度が設定されている。保留図柄１１０ａには、１％の信頼度が設定されている。保留図柄１１０ｂには、５％の信頼度が設定されている。保留図柄１１０ｃには、２０％の信頼度が設定されている。
【０１８５】
三角形の保留図柄は、所定の範囲にわたる信頼度が設定された保留図柄であり、レベル表示２００ａを伴うレベル表示保留図柄である保留図柄１２０ａと、レベル表示２００ｂを伴うレベル表示保留図柄である保留図柄１２０ｂと、レベル表示２００ｃを伴うレベル表示保留図柄である保留図柄１２０ｃとを含む。保留図柄１２０ａには、２５％の信頼度が設定されている。保留図柄１２０ｂには、３５％の信頼度が設定されている。保留図柄１２０ｃには、５０％の信頼度が設定されている。
【０１８６】
矩形の保留図柄は、所定の範囲にわたる信頼度が設定された保留図柄であり、レベル表示２００ａを伴うレベル表示保留図柄である保留図柄１３０ａと、レベル表示２００ｂを伴うレベル表示保留図柄である保留図柄１３０ｂと、レベル表示２００ｃを伴うレベル表示保留図柄である保留図柄１３０ｃとを含む。保留図柄１３０ａには、５５％の信頼度が設定されている。保留図柄１３０ｂには、７０％の信頼度が設定されている。保留図柄１３０ｃには、８０％の信頼度が設定されている。
【０１８７】
星形の保留図柄は、レベル表示を伴わない保留図柄１４０のみである。保留図柄１４０には、１００％の信頼度が設定されている。１００％の信頼度とは、その信頼度が設定された保留図柄が最終保留表示として表示された場合には全て大当りとなることを意味する。保留図柄１４０は、最も高い信頼度が設定された保留図柄である特別保留図柄である。
【０１８８】
パチンコ機５０の演出図柄表示装置６、演出図柄制御装置８２およびサブ統合制御装置８３は、保留表示処理（図１５）および保留表示更新処理（図１６）を実行する際、レベル表示保留図柄と共に表示されているレベル表示のレベルをより高い信頼度のレベルに変化させるレベル変化手段として機能してもよい。本実施形態では、レベル変化手段は、レベル変化手段は、「レベル０」のレベル表示２００ａをより高い信頼度である「レベル５」のレベル表示２００ｂに変化させることが可能であり、レベル変化手段は、「レベル５０」のレベル表示２００ｂをより高い信頼度である「レベル１０」のレベル表示２００ｃに変化させることが可能である。
【０１８９】
図１９は、保留図柄を表示する一例を示す説明図である。図１９には、図柄の可変表示を実現する画面５００が図示されている。画面５００は、演出図柄表示装置６によって表示される。画面５００は、特別図柄表示領域３００Ｌ，３００Ｃ，３００Ｒと、保留図柄表示領域４１１，４１２，４１３，４１４と、変動中保留図柄を表示する変動中保留図柄表示領域４２０とを備える。
【０１９０】
画面５００の特別図柄表示領域３００Ｌは、左側の特別図柄の可変表示を実施する領域である。画面５００の特別図柄表示領域３００Ｃは、中央の特別図柄の可変表示が実施される領域である。画面５００の特別図柄表示領域３００Ｒは、右側の特別図柄の可変表示が実施される領域である。図１９（ａ）および図１９（ｂ）には、特別図柄表示領域３００Ｌ，３００Ｃ，３００Ｒにおいて特別図柄が可変表示中である様子が図示されている。図１９（ｃ）には、特別図柄表示領域３００Ｌ，３００Ｃ，３００Ｒにおいて特別図柄が確定表示された様子が図示されている。
【０１９１】
画面５００の保留図柄表示領域４１１，４１２，４１３，４１４は、保留図柄を表示する領域である。特別図柄表示領域３００Ｌ，３００Ｃ，３００Ｒにおいて可変表示が実施されている間に、始動口への入球がある場合、保留図柄表示領域４１１に保留図柄が表示される。その後に更なる入球がある場合、保留図柄表示領域４１２に保留図柄が表示される。その後に更なる入球がある場合、保留図柄表示領域４１３、その次に保留図柄表示領域４１４へと順に保留図柄が表示される。
【０１９２】
特別図柄表示領域３００Ｌ，３００Ｃ，３００Ｒにおいて可変表示が完了した場合、保留図柄表示領域４１４の保留図柄は、保留図柄表示領域４１３へと移動し、保留図柄表示領域４１３の保留図柄は、保留図柄表示領域４１２へと移動し、保留図柄表示領域４１２の保留図柄は、保留図柄表示領域４１１へと移動する。本実施形態では、特別図柄表示領域３００Ｌ，３００Ｃ，３００Ｒにおいて可変表示が完了した場合、保留図柄表示領域４１４の保留図柄は、変動中保留図柄表示領域４２０へと移動する。
【０１９３】
変動中保留図柄表示領域４２０は、変表示手段によって実行中の可変表示に対応する変動中保留図柄を表示する領域である。本実施形態では、変動中保留図柄表示領域４２０に表示される変動中保留図柄は、図１８に示した保留図柄と同様である。変動中保留図柄の少なくとも一部は、保留図柄と異なる図柄であってもよい。
【０１９４】
図１９（ａ）は、特別図柄の可変表示が実施されている画面５００の一例を示す。図１９（ａ）の画面５００では、特別図柄表示領域３００Ｌ，３００Ｃ，３００Ｒにおいて特別図柄が可変表示されている。変動中保留図柄表示領域４２０には、変動中保留図柄として保留図柄１１０が表示されている。保留図柄表示領域４１１には、保留図柄１１０が表示されている。保留図柄表示領域４１２，４１３，４１４には、保留図柄が表示されていない。
【０１９５】
図１９（ｂ）は、図１９（ａ）の状態から始動口への入球があった場合における画面５００の一例を示す。図１９（ｂ）の画面５００では、始動口への入球に応じて、保留図柄表示領域４１２には、レベル表示２００ａを伴うレベル表示保留図柄である保留図柄１２０ａが表示されている。特別図柄表示領域３００Ｌ，３００Ｃ，３００Ｒには、図１９（ａ）の状態から引き続き、特別図柄が可変表示されている。変動中保留図柄表示領域４２０には、図１９（ａ）の状態から引き続き、変動中保留図柄として保留図柄１１０が表示されている。保留図柄表示領域４１１には、図１９（ａ）の状態から引き続き、保留図柄１１０が表示されている。保留図柄表示領域４１３，４１４には、図１９（ａ）の状態から引き続き、保留図柄が表示されていない。
【０１９６】
図１９（ｃ）は、図１９（ｂ）の状態から特別図柄が確定表示された場合における画面５００の一例を示す。図１９（ｃ）の画面５００では、特別図柄表示領域３００Ｌ，３００Ｃ，３００Ｒには、特別図柄が確定表示されている。変動中保留図柄表示領域４２０には、図１９（ｂ）の状態から引き続き、変動中保留図柄として保留図柄１１０が表示されている。保留図柄表示領域４１１には、図１９（ｂ）の状態から引き続き、保留図柄１１０が表示されている。保留図柄表示領域４１２には、図１９（ｂ）の状態から引き続き、保留図柄１２０ａが表示されている。保留図柄表示領域４１３，４１４には、図１９（ｂ）の状態から引き続き、保留図柄が表示されていない。
【０１９７】
図２０は、保留図柄を表示する一例を示す説明図である。図２０には、図１９と同様に、図柄の可変表示を実現する画面５００が図示されている。
【０１９８】
図２０（ａ）は、図１９（ｃ）の状態から後続の抽選結果に関する特別図柄の可変表示が開始された場合における画面５００の一例を示す。図２０（ａ）の画面５００では、特別図柄表示領域３００Ｌ，３００Ｃ，３００Ｒには、後続の抽選結果に関する特別図柄が可変表示されている。図１９（ｃ）の状態において保留図柄表示領域４１１に表示されていた保留図柄１１０は、保留図柄表示領域４１１から変動中保留図柄表示領域４２０へと移動した後、変動中保留図柄表示領域４２０に変動中保留図柄として表示されている。図１９（ｃ）の状態において保留図柄表示領域４１２に表示されていた保留図柄１２０ａは、保留図柄表示領域４１２から保留図柄表示領域４１１へと移動した後、保留図柄表示領域４１１に保留図柄として表示されている。保留図柄表示領域４１２，４１３，４１４には、保留図柄が表示されていない。図２０（ａ）の保留図柄表示領域４１１における保留図柄１２０ａは、「レベル０」を示すレベル表示２００ａと共に表示されているレベル表示保留図柄である。
【０１９９】
図２０（ｂ）は、図２０（ａ）の状態からレベル表示保留図柄のレベル表示のレベルが変化した場合における画面５００の一例を示す。図２０（ｂ）の例では、保留図柄表示領域４１１において、「レベル０」を示すレベル表示２００ａが、より高い信頼度である「レベル５」を示すレベル表示２００ｂに変化する。これによって、保留図柄表示領域４１１における保留図柄は、「信頼度２５％」の保留図柄１２０ａから「信頼度３５％」の保留図柄１２０ｂへと変化したことになる。図２０（ｂ）の画面５００では、特別図柄表示領域３００Ｌ，３００Ｃ，３００Ｒには、図２０（ａ）の状態から引き続き、特別図柄が可変表示されている。変動中保留図柄表示領域４２０には、図２０（ａ）の状態から引き続き、変動中保留図柄として保留図柄１１０が表示されている。保留図柄表示領域４１１には、図２０（ａ）の保留図柄１２０ａに代えて、より信頼度の高い保留図柄１２０ｂが表示されている。保留図柄表示領域４１２，４１３，４１４には、図２０（ａ）の状態から引き続き、保留図柄が表示されていない。
【０２００】
図２０（ｃ）の画面５００は、図２０（ｂ）の状態から特別図柄が確定表示された場合における画面５００の一例を示す。図２０（ｃ）の例では、保留図柄表示領域４１１において、「レベル５」を示すレベル表示２００ｂが、より高い信頼度である「レベル１０」を示すレベル表示２００ｃに変化する。これによって、保留図柄表示領域４１１における保留図柄は、「信頼度３５％」の保留図柄１２０ｂから「信頼度５０％」の保留図柄１２０ｃへと変化したことになる。図２０（ｃ）の画面５００では、特別図柄表示領域３００Ｌ，３００Ｃ，３００Ｒには、特別図柄が確定表示されている。変動中保留図柄表示領域４２０には、図２０（ｂ）の状態から引き続き、変動中保留図柄として保留図柄１１０が表示されている。保留図柄表示領域４１１には、図２０（ｂ）の保留図柄１２０ｂに代えて、より信頼度の高い保留図柄１２０ｃが表示されている。保留図柄表示領域４１２，４１３，４１４には、図２０（ｂ）の状態から引き続き、保留図柄が表示されていない。
【０２０１】
パチンコ機５０の演出図柄表示装置６、演出図柄制御装置８２およびサブ統合制御装置８３は、保留表示処理（図１５）および保留表示更新処理（図１６）を実行する際、保留図柄表示領域４１１〜４１４に表示されている保留図柄を、より高い信頼度が設定された他の保留図柄に変化させる保留図柄変化手段として機能してもよい。保留図柄変化手段は、保留図柄表示領域４１１〜４１４に表示されているレベル表示保留図柄を、より高い範囲にわたる信頼度が設定された他の保留図柄に変化させてもよい。保留図柄変化手段による変化後における他の保留図柄は、最も低いレベルを示すレベル表示と共に表示されながら、保留図柄変化手段による変化前における保留図柄より高い信頼度が設定された保留図柄であってもよい。
【０２０２】
図２１は、保留図柄を表示する一例を示す説明図である。図２１には、図１９と同様に、図柄の可変表示を実現する画面５００が図示されている。
【０２０３】
図２１（ａ）は、特別図柄の可変表示が実施されている画面５００の一例を示す。図２１（ａ）の画面５００では、特別図柄表示領域３００Ｌ，３００Ｃ，３００Ｒにおいて特別図柄が可変表示されている。変動中保留図柄表示領域４２０には、変動中保留図柄として保留図柄１１０が表示されている。保留図柄表示領域４１１には、保留図柄１２０ｂが表示されている。保留図柄表示領域４１２，４１３，４１４には、保留図柄が表示されていない。図２１（ａ）の保留図柄表示領域４１１における保留図柄１２０ｂは、「レベル５」を示すレベル表示２００ｂと共に表示されているレベル表示保留図柄である。
【０２０４】
図２１（ｂ）は、図２１（ａ）の状態からレベル表示保留図柄のレベル表示のレベルが変化した場合における画面５００の一例を示す。図２１（ｂ）の例では、保留図柄表示領域４１１において、「レベル５」を示すレベル表示２００ｂが、より高い信頼度である「レベル１０」を示すレベル表示２００ｃに変化する。これによって、保留図柄表示領域４１１における保留図柄は、「信頼度３５％」の保留図柄１２０ｂから「信頼度５０％」の保留図柄１２０ｃへと変化したことになる。図２１（ｂ）の画面５００では、特別図柄表示領域３００Ｌ，３００Ｃ，３００Ｒには、図２１（ａ）の状態から引き続き、特別図柄が可変表示されている。変動中保留図柄表示領域４２０には、図２１（ａ）の状態から引き続き、変動中保留図柄として保留図柄１１０が表示されている。保留図柄表示領域４１１には、図２１（ａ）の保留図柄１２０ｂに代えて、より信頼度の高い保留図柄１２０ｃが表示されている。保留図柄表示領域４１２，４１３，４１４には、図２１（ａ）の状態から引き続き、保留図柄が表示されていない。
【０２０５】
図２１（ｃ）の画面５００は、図２１（ｂ）の状態から特別図柄が確定表示された場合における画面５００の一例を示す。図２１（ｃ）の例では、保留図柄表示領域４１１において、信頼度２５％〜５０％が設定された三角形の保留図柄が、より高い信頼度５５％〜８０％が設定された矩形の保留図柄に変化する。本実施形態では、三角形の保留図柄は、図２１（ｃ）に図示しない段階演出を経て、矩形の保留図柄に変化する。変化後における矩形の保留図柄は、最も低い「レベル０」を示すレベル表示２００ａと共に表示される保留図柄１３０ａである。これによって、保留図柄表示領域４１１における保留図柄は、「信頼度５０％」の保留図柄１２０ｃから「信頼度５５％」の保留図柄１３０ａへと変化したことになる。図２１（ｃ）の画面５００では、特別図柄表示領域３００Ｌ，３００Ｃ，３００Ｒには、特別図柄が確定表示されている。変動中保留図柄表示領域４２０には、図２１（ｂ）の状態から引き続き、変動中保留図柄として保留図柄１１０が表示されている。保留図柄表示領域４１１には、図２１（ｂ）の保留図柄１２０ｃに代えて、より信頼度の高い保留図柄１３０ａが表示されている。保留図柄表示領域４１２，４１３，４１４には、図２１（ｂ）の状態から引き続き、保留図柄が表示されていない。
【０２０６】
本実施形態では、複数の保留図柄は、最も高い信頼度が設定された保留図柄である特別保留図柄（保留図柄１４０）を含む。パチンコ機５０の演出図柄表示装置６、演出図柄制御装置８２およびサブ統合制御装置８３は、保留表示処理（図１５）および保留表示更新処理（図１６）を実行する際、最も高いレベルを示すレベル表示２００ｃと共に表示されているレベル表示保留図柄１１０ｃ，１２０ｃ，１３０ｃを、特別保留図柄（保留図柄１４０）に変化させる特別保留図柄変化手段として機能してもよい。
【０２０７】
図２２は、保留図柄を表示する一例を示す説明図である。図２２には、図１９と同様に、図柄の可変表示を実現する画面５００が図示されている。
【０２０８】
図２２（ａ）は、特別図柄の可変表示が実施されている画面５００の一例を示す。図２２（ａ）の画面５００では、特別図柄表示領域３００Ｌ，３００Ｃ，３００Ｒにおいて特別図柄が可変表示されている。変動中保留図柄表示領域４２０には、変動中保留図柄として保留図柄１１０が表示されている。保留図柄表示領域４１１には、保留図柄１２０ｂが表示されている。保留図柄表示領域４１２，４１３，４１４には、保留図柄が表示されていない。図２２（ａ）の保留図柄表示領域４１１における保留図柄１２０ｂは、「レベル５」を示すレベル表示２００ｂと共に表示されているレベル表示保留図柄である。
【０２０９】
図２２（ｂ）は、図２２（ａ）の状態からレベル表示保留図柄のレベル表示のレベルが変化した場合における画面５００の一例を示す。図２２（ｂ）の例では、保留図柄表示領域４１１において、「レベル５」を示すレベル表示２００ｂが、より高い信頼度である「レベル１０」を示すレベル表示２００ｃに変化する。これによって、保留図柄表示領域４１１における保留図柄は、「信頼度３５％」の保留図柄１２０ｂから「信頼度５０％」の保留図柄１２０ｃへと変化したことになる。図２２（ｂ）の画面５００では、特別図柄表示領域３００Ｌ，３００Ｃ，３００Ｒには、図２２（ａ）の状態から引き続き、特別図柄が可変表示されている。変動中保留図柄表示領域４２０には、図２２（ａ）の状態から引き続き、変動中保留図柄として保留図柄１１０が表示されている。保留図柄表示領域４１１には、図２２（ａ）の保留図柄１２０ｂに代えて、より信頼度の高い保留図柄１２０ｃが表示されている。保留図柄表示領域４１２，４１３，４１４には、図２２（ａ）の状態から引き続き、保留図柄が表示されていない。
【０２１０】
図２２（ｃ）の画面５００は、図２２（ｂ）の状態から特別図柄が確定表示された場合における画面５００の一例を示す。図２２（ｃ）の例では、保留図柄表示領域４１１において、最も高いレベルである「レベル１０」を示すレベル表示２００ｃと共に表示されている保留図柄１２０ｃが、複数の保留図柄の中で最も高い信頼度が設定された特別保留図柄である保留図柄１４０に変化する。これによって、保留図柄表示領域４１１における保留図柄は、「信頼度５０％」の保留図柄１２０ｃから「信頼度１００％」の保留図柄１４０へと変化したことになる。図２２（ｃ）の画面５００では、特別図柄表示領域３００Ｌ，３００Ｃ，３００Ｒには、特別図柄が確定表示されている。変動中保留図柄表示領域４２０には、図２２（ｂ）の状態から引き続き、変動中保留図柄として保留図柄１１０が表示されている。保留図柄表示領域４１１には、図２２（ｂ）の保留図柄１２０ｃに代えて、より信頼度の高い特別保留図柄である保留図柄１４０が表示されている。保留図柄表示領域４１２，４１３，４１４には、図２２（ｂ）の状態から引き続き、保留図柄が表示されていない。
【０２１１】
本実施形態では、パチンコ機５０は、更に、変動中保留図柄表示手段と、変動中保留図柄選定手段と、変動中レベル変化手段とを備える。パチンコ機５０は、更に、変動中保留図柄変化手段を備えてもよい。
【０２１２】
パチンコ機５０の演出図柄表示装置６、演出図柄制御装置８２およびサブ統合制御装置８３は、保留表示処理（図１５）および変動中表示更新処理（図１７）を実行する際、可変表示手段によって実行中の可変表示に対応する変動中保留図柄を表示する変動中保留図柄表示手段として機能する。
【０２１３】
パチンコ機５０の演出図柄表示装置６、演出図柄制御装置８２およびサブ統合制御装置８３は、保留表示処理（図１５）および変動中表示更新処理（図１７）を実行する際、抽選結果が大当りとなる信頼度として異なる値がそれぞれ設定された複数の変動中保留図柄の中から、変動中保留図柄表示手段によって表示される変動中保留図柄を選定する変動中保留図柄選定手段として機能する。
【０２１４】
本実施形態では、複数の変動中保留図柄は、所定の範囲にわたる信頼度が設定された変動中保留図柄を含む。パチンコ機５０は、変動中保留図柄に設定された所定の範囲にわたる信頼度のレベルを示す変動中レベル表示を含む。変動中レベル表示は、所定の範囲にわたる信頼度が設定された変動中保留図柄と共に表示される。
【０２１５】
パチンコ機５０の演出図柄表示装置６、演出図柄制御装置８２およびサブ統合制御装置８３は、保留表示処理（図１５）および変動中表示更新処理（図１７）を実行する際、変動中レベル表示のレベルをより高い信頼度のレベルに変化させる変動中レベル変化手段として機能する。
【０２１６】
図２３は、変動中保留図柄を表示する一例を示す説明図である。図２３には、図１９と同様に、図柄の可変表示を実現する画面５００が図示されている。
【０２１７】
図２３（ａ）は、特別図柄の可変表示が実施されている画面５００の一例を示す。図２３（ａ）の画面５００では、特別図柄表示領域３００Ｌ，３００Ｃ，３００Ｒにおいて特別図柄が可変表示されている。変動中保留図柄表示領域４２０には、保留図柄１１０ａが表示されている。保留図柄表示領域４１１，４１２，４１３，４１４には、保留図柄１１０がそれぞれ表示されている。図２３（ａ）の変動中保留図柄表示領域４２０における保留図柄１１０ａは、「レベル０」を示すレベル表示２００ａと共に表示されている変動中レベル表示保留図柄である。
【０２１８】
図２３（ｂ）は、図２３（ａ）の状態から変動中レベル表示保留図柄のレベル表示のレベルが変化した場合における画面５００の一例を示す。図２３（ｂ）の例では、変動中保留図柄表示領域４２０において、「レベル０」を示すレベル表示２００ａが、より高い信頼度である「レベル５」を示すレベル表示２００ｂに変化する。これによって、変動中保留図柄表示領域４２０における変動中保留図柄は、「信頼度１％」の保留図柄１１０ａから「信頼度３５％」の保留図柄１２０ｂへと変化したことになる。図２３（ｂ）の画面５００では、特別図柄表示領域３００Ｌ，３００Ｃ，３００Ｒには、図２３（ａ）の状態から引き続き、特別図柄が可変表示されている。変動中保留図柄表示領域４２０には、図２３（ａ）の保留図柄１１０ａに代えて、より信頼度の高い保留図柄１１０ｂが、変動中保留図柄として表示されている。保留図柄表示領域４１１，４１２，４１３，４１４には、図２３（ａ）の状態から引き続き、保留図柄１１０がそれぞれ表示されている。
【０２１９】
図２３（ｃ）の画面５００は、図２３（ｂ）の状態から特別図柄が確定表示された場合における画面５００の一例を示す。図２３（ｃ）の画面５００では、特別図柄表示領域３００Ｌ，３００Ｃ，３００Ｒには、特別図柄が確定表示されている。変動中保留図柄表示領域４２０には、図２３（ｂ）の状態から引き続き、変動中保留図柄として保留図柄１１０ｂが表示されている。保留図柄表示領域４１１，４１２，４１３，４１４には、図２３（ｂ）の状態から引き続き、保留図柄１１０がそれぞれ表示されている。
【０２２０】
パチンコ機５０の演出図柄表示装置６、演出図柄制御装置８２およびサブ統合制御装置８３は、保留表示処理（図１５）および変動中表示更新処理（図１７）を実行する際、変動中保留図柄表示手段によって表示されている変動中保留図柄を、より高い信頼度が設定された他の変動中保留図柄に変化させる変動中保留図柄変化手段として機能してもよい。
【０２２１】
図２４は、変動中保留図柄を表示する一例を示す説明図である。図２４には、図１９と同様に、図柄の可変表示を実現する画面５００が図示されている。
【０２２２】
図２４（ａ）は、特別図柄の可変表示が実施されている画面５００の一例を示す。図２４（ａ）の画面５００では、特別図柄表示領域３００Ｌ，３００Ｃ，３００Ｒにおいて特別図柄が可変表示されている。変動中保留図柄表示領域４２０には、保留図柄１１０ｃが表示されている。保留図柄表示領域４１１，４１２，４１３，４１４には、保留図柄１１０がそれぞれ表示されている。図２４（ａ）の変動中保留図柄表示領域４２０における保留図柄１１０ｃは、「レベル１０」を示すレベル表示２００ｃと共に表示されている変動中レベル表示保留図柄である。
【０２２３】
図２４（ｂ）は、図２４（ａ）の状態から変動中レベル表示保留図柄が他の変動中レベル表示保留図柄に変化した場合における画面５００の一例を示す。図２４（ｂ）の例では、信頼度１％〜２０％が設定された円形の保留図柄が、より高い信頼度２５％〜５０％が設定された三角形の保留図柄に変化する。変化後における三角形の保留図柄は、最も低い「レベル０」を示すレベル表示２００ａと共に表示される保留図柄１２０ａである。これによって、変動中保留図柄表示領域４２０における変動中保留図柄は、「信頼度２０％」の保留図柄１１０ｃから「信頼度２５％」の保留図柄１２０ａへと変化したことになる。図２４（ｂ）の画面５００では、特別図柄表示領域３００Ｌ，３００Ｃ，３００Ｒには、図２４（ａ）の状態から引き続き、特別図柄が可変表示されている。変動中保留図柄表示領域４２０には、図２４（ａ）の保留図柄１１０ｃに代えて、より信頼度の高い保留図柄１２０ａが、変動中保留図柄として表示されている。保留図柄表示領域４１１，４１２，４１３，４１４には、図２４（ａ）の状態から引き続き、保留図柄１１０がそれぞれ表示されている。
【０２２４】
図２４（ｃ）の画面５００は、図２４（ｂ）の状態から特別図柄が確定表示された場合における画面５００の一例を示す。図２４（ｃ）の画面５００では、特別図柄表示領域３００Ｌ，３００Ｃ，３００Ｒには、特別図柄が確定表示されている。変動中保留図柄表示領域４２０には、図２４（ｂ）の状態から引き続き、変動中保留図柄として保留図柄１２０ａが表示されている。保留図柄表示領域４１１，４１２，４１３，４１４には、図２４（ｂ）の状態から引き続き、保留図柄１１０がそれぞれ表示されている。
【０２２５】
以上説明した第１実施形態のパチンコ機５０は、レベル表示保留図柄（保留図柄１１０ａ〜１１０ｃ，１２０ａ〜１２０ｃ，１３０ａ〜１３０ｃ）と共に表示されているレベル表示２００ａ〜２００ｃのレベルをより高い信頼度のレベルに変化させるレベル変化手段を備える（図１８、図２０，図２１および図２２）。これによって、保留図柄と共に表示されるレベル表示によって、その保留図柄に対応する抽選結果が大当りとなる信頼度を遊技者に示唆できるとともに、そのレベル表示のレベルをより高い信頼度のレベルへと変化させることができる。これによって、保留図柄と共に表示されるレベル表示のレベルが高くなることに対する期待感を遊技者に抱かせることができる。その結果、保留図柄を用いた先読み演出に対する遊技者の興趣を向上させることができる。
【０２２６】
また、パチンコ機５０は、保留図柄表示領域４１１〜４１４に表示されている保留図柄を、より高い信頼度が設定された他の保留図柄に変化させる保留図柄変化手段を備える（図１８、図２１および図２２）。これによって、保留図柄と共に表示されるレベル表示のレベルが高くなることに対する期待感に加え、保留図柄がより高い信頼度が設定された他の保留図柄に変化することに対する期待感を遊技者に抱かせることができる。その結果、保留図柄を用いた先読み演出に対する遊技者の興趣をいっそう向上させることができる。
【０２２７】
また、保留図柄変化手段は、保留図柄表示領域４１１〜４１４に表示されているレベル表示保留図柄を、より高い信頼度が設定された他のレベル表示保留図柄に変化させるとともに、その変化後における他のレベル表示保留図柄は、最も低いレベルを示すレベル表示と共に表示されながら、その変化前におけるレベル表示保留図柄より高い信頼度が設定されている（図１８および図２１）。これによって、レベル表示保留図柄がより高い信頼度が設定された他のレベル表示保留図柄に変化することに対する期待感を損なうことなく、保留図柄と共に表示されるレベル表示のレベルが高くなることに対する期待感を遊技者に抱かせることができる。その結果、保留図柄を用いた先読み演出に対する遊技者の興趣をいっそう向上させることができる。
【０２２８】
また、複数の保留図柄は、最も高い信頼度が設定された保留図柄である特別保留図柄（保留図柄１４０）を含み、パチンコ機５０は、更に、最も高いレベルを示すレベル表示２００ｃと共に表示されているレベル表示保留図柄１１０ｃ，１２０ｃ，１３０ｃを、特別保留図柄（保留図柄１４０）に変化させる特別保留図柄変化手段を備える（図１８および図２２）。これによって、最も高いレベルを示すレベル表示を経てレベル表示保留図柄１１０ｃ，１２０ｃ，１３０ｃが特別保留図柄（保留図柄１４０）に変化することに対する期待感を遊技者に抱かせることができる。その結果、保留図柄を用いた先読み演出に対する遊技者の興趣をいっそう向上させることができる。
【０２２９】
また、パチンコ機５０は、変動中レベル表示保留図柄（保留図柄１１０ａ〜１１０ｃ，１２０ａ〜１２０ｃ，１３０ａ〜１３０ｃ）と共に表示されているレベル表示２００ａ〜２００ｃのレベルをより高い信頼度のレベルに変化させる変動中レベル変化手段を備える（図１８、図２３）。これによって、変動中保留図柄と共に表示されるレベル表示によって、実行中の可変表示によって報知される抽選結果が大当りとなる信頼度を遊技者に示唆できるとともに、そのレベル表示のレベルをより高い信頼度のレベルへと変化させることができる。これによって、変動中保留図柄と共に表示されるレベル表示のレベルが高くなることに対する期待感を遊技者に抱かせることができる。その結果、変動中保留図柄を用いた先読み演出に対する遊技者の興趣を向上させることができる。
【０２３０】
また、パチンコ機５０は、変動中保留図柄表示領域４２０に表示されている変動中保留図柄を、より高い信頼度が設定された他の変動中保留図柄に変化させる変動中保留図柄変化手段を備える（図１８、図２４）。これによって、変動中保留図柄と共に表示されるレベル表示のレベルが高くなることに対する期待感に加え、変動中保留図柄がより高い信頼度が設定された他の変動中保留図柄に変化することに対する期待感を遊技者に抱かせることができる。その結果、変動中保留図柄を用いた先読み演出に対する遊技者の興趣をいっそう向上させることができる。
【０２３１】
Ｂ．第２実施形態
第２実施形態のパチンコ機５０は、保留図柄変化手段による変化後における他の保留図柄が、保留図柄変化手段による変化前と同じレベルを示すレベル表示と共に表示されながら、保留図柄変化手段による変化前における保留図柄より高い信頼度が設定された保留図柄である点を除き、第１実施形態と同様である。
【０２３２】
図２５は、第２実施形態における保留図柄を表示する一例を示す説明図である。図２５には、図１９と同様に、図柄の可変表示を実現する画面５００が図示されている。
【０２３３】
図２５（ａ）は、特別図柄の可変表示が実施されている画面５００の一例を示す。図２５（ａ）の画面５００では、特別図柄表示領域３００Ｌ，３００Ｃ，３００Ｒにおいて特別図柄が可変表示されている。変動中保留図柄表示領域４２０には、変動中保留図柄として保留図柄１１０が表示されている。保留図柄表示領域４１１には、保留図柄１１０が表示されている。保留図柄表示領域４１２，４１３，４１４には、保留図柄が表示されていない。
【０２３４】
図２５（ｂ）は、図２５（ａ）の状態から始動口への入球があった場合における画面５００の一例を示す。図２５（ｂ）の画面５００では、始動口への入球に応じて、保留図柄表示領域４１２には、レベル表示２００ｂを伴うレベル表示保留図柄である保留図柄１１０ｂが表示されている。特別図柄表示領域３００Ｌ，３００Ｃ，３００Ｒには、図２５（ａ）の状態から引き続き、特別図柄が可変表示されている。変動中保留図柄表示領域４２０には、図２５（ａ）の状態から引き続き、変動中保留図柄として保留図柄１１０が表示されている。保留図柄表示領域４１１には、図２５（ａ）の状態から引き続き、保留図柄１１０が表示されている。保留図柄表示領域４１３，４１４には、図２５（ａ）の状態から引き続き、保留図柄が表示されていない。
【０２３５】
図２５（ｃ）は、図２５（ｂ）の状態から特別図柄が確定表示された場合における画面５００の一例を示す。図２５（ｃ）の画面５００では、特別図柄表示領域３００Ｌ，３００Ｃ，３００Ｒには、特別図柄が確定表示されている。変動中保留図柄表示領域４２０には、図２５（ｂ）の状態から引き続き、変動中保留図柄として保留図柄１１０が表示されている。保留図柄表示領域４１１には、図２５（ｂ）の状態から引き続き、保留図柄１１０が表示されている。保留図柄表示領域４１２には、図２５（ｂ）の状態から引き続き、保留図柄１１０ｂが表示されている。保留図柄表示領域４１３，４１４には、図２５（ｂ）の状態から引き続き、保留図柄が表示されていない。
【０２３６】
図２６は、第２実施形態における保留図柄を表示する一例を示す説明図である。図２６には、図２５と同様に、図柄の可変表示を実現する画面５００が図示されている。
【０２３７】
図２６（ａ）は、図２５（ｃ）の状態から後続の抽選結果に関する特別図柄の可変表示が開始された場合における画面５００の一例を示す。図２６（ａ）の画面５００では、特別図柄表示領域３００Ｌ，３００Ｃ，３００Ｒには、後続の抽選結果に関する特別図柄が可変表示されている。図２５（ｃ）の状態において保留図柄表示領域４１１に表示されていた保留図柄１１０は、保留図柄表示領域４１１から変動中保留図柄表示領域４２０へと移動した後、変動中保留図柄表示領域４２０に変動中保留図柄として表示されている。図２６（ｃ）の状態において保留図柄表示領域４１２に表示されていた保留図柄１１０ｂは、保留図柄表示領域４１２から保留図柄表示領域４１１へと移動した後、保留図柄表示領域４１１に保留図柄として表示されている。保留図柄表示領域４１２，４１３，４１４には、保留図柄が表示されていない。図２６（ａ）の保留図柄表示領域４１１における保留図柄１１０ｂは、「レベル５」を示すレベル表示２００ｂと共に表示されているレベル表示保留図柄である。
【０２３８】
図２６（ｂ）は、図２６（ａ）の状態からレベル表示保留図柄が他のレベル表示保留図柄に変化した場合における画面５００の一例を示す。図２６（ｂ）の例では、「レベル５」を示すレベル表示２００ｂと共に表示される円形の保留図柄１１０ｂが、同じレベルの「レベル５」を示すレベル表示２００ｂと共に表示される三角形の保留図柄１２０ｂに変化する。これによって、保留図柄表示領域４１１における保留図柄は、「信頼度５％」の保留図柄１１０ｂから「信頼度３５％」の保留図柄１２０ｂへと変化したことになる。図２６（ｂ）の画面５００では、特別図柄表示領域３００Ｌ，３００Ｃ，３００Ｒには、図２６（ａ）の状態から引き続き、特別図柄が可変表示されている。変動中保留図柄表示領域４２０には、図２６（ａ）の状態から引き続き、変動中保留図柄として保留図柄１１０が表示されている。保留図柄表示領域４１１には、図２６（ａ）の保留図柄１１０ｂに代えて、より信頼度の高い保留図柄１２０ｂが表示されている。保留図柄表示領域４１２，４１３，４１４には、図２６（ａ）の状態から引き続き、保留図柄が表示されていない。
【０２３９】
図２６（ｃ）の画面５００は、図２６（ｂ）の状態から特別図柄が確定表示された場合における画面５００の一例を示す。図２６（ｃ）の画面５００では、特別図柄表示領域３００Ｌ，３００Ｃ，３００Ｒには、特別図柄が確定表示されている。変動中保留図柄表示領域４２０には、図２６（ｂ）の状態から引き続き、変動中保留図柄として保留図柄１１０が表示されている。保留図柄表示領域４１１には、図２６（ｂ）の状態から引き続き、保留図柄１２０ｂが表示されている。保留図柄表示領域４１２，４１３，４１４には、図２６（ｂ）の状態から引き続き、保留図柄が表示されていない。
【０２４０】
以上説明した第２実施形態のパチンコ機５０によれば、第１実施形態と同様に、保留図柄と共に表示されるレベル表示によって、その保留図柄に対応する抽選結果が大当りとなる信頼度を遊技者に示唆できるとともに、そのレベル表示のレベルをより高い信頼度のレベルへと変化させることができる。これによって、保留図柄と共に表示されるレベル表示のレベルが高くなることに対する期待感を遊技者に抱かせることができる。その結果、保留図柄を用いた先読み演出に対する遊技者の興趣を向上させることができる。
【０２４１】
また、保留図柄変化手段は、保留図柄表示領域４１１〜４１４に表示されているレベル表示保留図柄を、より高い信頼度が設定された他のレベル表示保留図柄に変化させるとともに、その変化後における他のレベル表示保留図柄は、その変化前と同じレベルを示すレベル表示と共に表示されながら、その変化前におけるレベル表示保留図柄より高い信頼度が設定されている（図１８および図２６）。これによって、レベル表示保留図柄がより高い信頼度が設定された他のレベル表示保留図柄に変化することに対する期待感を損なうことなく、保留図柄と共に表示されるレベル表示のレベルが高くなることに対する期待感を遊技者に抱かせることができる。その結果、保留図柄を用いた先読み演出に対する遊技者の興趣をいっそう向上させることができる。
【０２４２】
Ｃ．第３実施形態
図２７は、第３実施形態における保留図柄およびレベル表示と信頼度との関係の一例を示す説明図である。第３実施形態のパチンコ機５０は、保留図柄に設定された信頼度の値が異なる点を除き、第２実施形態と同様である。
【０２４３】
第３実施形態における円形の保留図柄に関しては、保留図柄１１０ｃに４０％の信頼度が設定されている点を除き、図１８の保留図柄と同様である。
【０２４４】
第３実施形態における三角形の保留図柄に関しては、保留図柄１２０ａには、１０％の信頼度が設定されている。保留図柄１２０ｂには、２０％の信頼度が設定されている。保留図柄１２０ｃには、６０％の信頼度が設定されている。
【０２４５】
第３実施形態における矩形の保留図柄に関しては、保留図柄１３０ａに５０％の信頼度が設定されている点を除き、図１８の保留図柄と同様である。
【０２４６】
以上説明した第３実施形態のパチンコ機５０によれば、第２実施形態と同様に、保留図柄と共に表示されるレベル表示によって、その保留図柄に対応する抽選結果が大当りとなる信頼度を遊技者に示唆できるとともに、そのレベル表示のレベルをより高い信頼度のレベルへと変化させることができる。これによって、保留図柄と共に表示されるレベル表示のレベルが高くなることに対する期待感を遊技者に抱かせることができる。その結果、保留図柄を用いた先読み演出に対する遊技者の興趣を向上させることができる。
【０２４７】
また、信頼度がより高い範囲で設定された保留図柄に最低レベルのレベル表示２００ａが表示された場合より、信頼度がより低い範囲で設定された保留図柄に最高レベルのレベル表示２００ｃが表示された場合の方が、保留図柄の信頼度が高いため（例えば、信頼度１０％の保留図柄１２０ａに対する信頼度４０％の保留図柄１１０ｃ、ならびに、信頼度５０％の保留図柄１３０ａに対する信頼度６０％の保留図柄１２０ｃ）、信頼度がより高い範囲で設定された保留図柄へと変化しない場合（例えば、円形の保留図柄のまま）であっても、保留図柄と共に表示されるレベル表示のレベルが高くなることに対する期待感を遊技者に抱かせることができる。
【０２４８】
Ｄ．他の実施形態
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【０２４９】
「レベル０」を示すレベル表示２００ａは、上述の実施形態のように保留図柄１１０ａ，１２０ａ，１３０ａと共に表示されてもよいし、「レベル０」として保留図柄と共に表示されなくてもよい。
【０２５０】
最も高いレベルを示すレベル表示２００ｃと共に表示されている保留図柄１１０ｃ，１２０ｃ，１３０ｃへと保留図柄が変化した場合、保留図柄１１０ｃ，１２０ｃ，１３０ｃを表示した後、レベル表示２００ｃに代えて、最も高いレベルになった旨を示す演出が実施されてもよい。これによって、最も高いレベルになった旨を遊技者に気付かせることができる。
【０２５１】
最も高いレベルを示すレベル表示２００ｃと共に表示されている保留図柄１１０ｃ，１２０ｃ，１３０ｃへと保留図柄が変化した場合、更なる保留図柄の変化を制限してもよい。これによって、保留図柄１１０ｃ，１２０ｃ，１３０ｃからの更なる変化が行われないことによって遊技者に失望感を抱かせることを防止できる。
【０２５２】
レベル表示のレベルがより高いレベルに変化する際に、レベル表示の変化を期待させる演出が実施されてもよい。これによって、レベル表示が変化することに対する期待感を遊技者に抱かせることができる。
【０２５３】
第１の保留図柄が第２の保留図柄に変化する場合（例えば、円形の図柄から三角形の図柄）、最高レベルのレベル表示を伴う第１の保留図柄から、最低レベルのレベル表示を伴う第２の保留図柄に変化することが好適である。この場合、最低レベルのレベル表示を伴う第２の保留図柄の信頼度は、最高レベルのレベル表示を伴う第１の保留図柄の信頼度より高いことが好適である。
【０２５４】
保留図柄が他の保留図柄に変化する際（例えば、円形の図柄から三角形の図柄）に、保留図柄の変化を期待させる演出が実施されてもよい。これによって、保留図柄が変化することに対する期待感を遊技者に抱かせることができる。
【０２５５】
レベル表示の変化と、保留図柄の変化とは、異なるタイミングで実施されてもよい。例えば、レベル表示の変化は、特定図柄の可変表示中に実施され、保留図柄の変化は、特定図柄の可変表示を開始する際に保留図柄が移動（シフト）するタイミングで実施されてもよい。これによって、レベル表示の変化と保留図柄の変化とを遊技者が容易に認識できる。
【符号の説明】
【０２５６】
１…遊技盤
２ａ…外レール
２ｂ…内レール
３…遊技領域
４…遊技釘
５…センターケース
６…演出図柄表示装置
７…普通図柄表示装置
８…普図保留数表示装置
９…特図表示装置
１１…第１始動口
１２…第２始動口
１２ｂ…普電役物ソレノイド
１４…大入賞口
１４ｂ…大入賞口ソレノイド
１７…普通図柄作動ゲート
１８…特図保留数表示装置
２０…払出モータ
２３…サブ統合制御装置
２４…ＣＲユニット端子板
２５…精算表示装置
２６…ランプ
３０…発射モータ
３１…一般入賞口
３９…シリンダ錠
５０…パチンコ機
５１…外枠
５２…前枠
５３…ヒンジ
５５…上皿
５６…ＣＲユニット
５７…球貸ボタン
５８…精算ボタン
５９…残高表示器
６１…板ガラス
６３…下皿
６４…発射ハンドル
６５…枠側装飾ランプ
６６…スピーカ
６７…演出ボタン
６８…ジョグダイヤル
６９…十字ボタン
７０…内枠
７１…球タンク
７２…タンクレール
７３…払出ユニット
７８…外部接続端子板
８０…主制御装置
８１…払出制御装置
８２…演出図柄制御装置
８３…サブ統合制御装置
８４…発射制御装置
８５…電源基板
８７…ホールコンピュータ
９０…図柄表示装置中継端子板
１１０，１１０ａ〜１１０ｃ，１２０ａ〜１２０ｃ，１３０ａ〜１３０ｃ，１４０…保留図柄
２００ａ〜２００ｃ…レベル表示
３００Ｃ，３００Ｌ，３００Ｒ…特別図柄表示領域
４１１〜４１４…保留図柄表示領域
４２０…変動中保留図柄表示領域
５００…画面
【図１】
2018191747.tif 000003
【図２】
2018191747.tif 000004
【図３】
2018191747.tif 000005
【図４】
2018191747.tif 000006
【図５】
2018191747.tif 000007
【図６】
2018191747.tif 000008
【図７】
2018191747.tif 000009
【図８】
2018191747.tif 000010
【図９】
2018191747.tif 000011
【図１０】
2018191747.tif 000012
【図１１】
2018191747.tif 000013
【図１２】
2018191747.tif 000014
【図１３】
2018191747.tif 000015
【図１４】
2018191747.tif 000016
【図１５】
2018191747.tif 000017
【図１６】
2018191747.tif 000018
【図１７】
2018191747.tif 000019
【図１８】
2018191747.tif 000020
【図１９】
2018191747.tif 000021
【図２０】
2018191747.tif 000022
【図２１】
2018191747.tif 000023
【図２２】
2018191747.tif 000024
【図２３】
2018191747.tif 000025
【図２４】
2018191747.tif 000026
【図２５】
2018191747.tif 000027
【図２６】
2018191747.tif 000028
【図２７】
2018191747.tif 000029